(57)【要約】【課題】年配者に関連付けられた重大疾患リスクについてリスク共有する、パラメトリックなイベント駆動型重大疾患保険システム及び方法が提案される。【解決手段】  リソースプーリングシステムは、リスク関連構成部分データを処理し、このデータに基づいてプールされたリスクエクスポージャ構成部分のうち１つ以上のリスクエクスポージャの見込みを提供するアセンブリモジュールを含む。リスクエクスポージャ構成部分は、そのリスク及びリソースのプーリングのためにリソースプーリングシステムに接続され、リソースプーリングシステムは、急性の及び／又は慢性的な重大疾患の発生に対して特定のリスクエクスポージャ構成部分にリスク保障を提供するように、患者データフロー経路においてトリガする重大疾患トリガを有する複数イベント駆動型コアエンジンを含む。リソースプーリングシステムの動作は、パラメトリックな複数トリガ段階リスクカバーによってさらにサポートされる。【選択図】図１
2018198098.tif 000002
【特許請求の範囲】
【請求項１】
自動化リソースプーリングシステムにより可変数のリスクエクスポージャ構成部分に動的な自給自足のリスク保障を提供することによって年配者のリスクに関連付けられた重大疾患リスクについてリスク共有する、前記自動化リソースプーリングシステムに基づいた完全に自動化された自己適合性のイベント駆動型重大疾患保険システムであって、前記リスクエクスポージャ構成部分は、該リスクエクスポージャ構成部分からのそのリスク及びリソースのプーリングのための支払いを受け取り及び記憶するように構成された複数の支払い受け取りモジュールによって、前記自動化リソースプーリングシステムと相互作用し、前記支払いは、電子ネットワークを通じて支払い受け取りモジュールによる電子マネー移転によって構成部分固有支払いパラメータに基づいて移転可能であり且つ記憶可能であり、前記自動化リソースプーリングシステムは、前記リスクエクスポージャ構成部分の受け取られ及び記憶された支払いに基づいて特定のリスクエクスポージャ構成部分にリスク保障を提供するように患者データフロー経路においてトリガされる重大疾患トリガを含むイベント駆動型コアエンジンを含み、前記自動化リソースプーリングシステムは、リスクエクスポージャ構成部分の年齢関連パラメータを捕捉し、所定の年齢閾値によって該所定の年齢閾値より大きい年齢関連パラメータに関連付けられたリスクエクスポージャ構成部分を特定するデータをフィルタする、フィルタモジュールを含み、
前記自動化リソースプーリングシステムは、前記患者データフロー経路における認知症、又は心臓発作、又はがん、又は脳卒中、又は冠動脈バイパス手術、又はアルツハイマー病、又は失明、又は難聴、又は腎不全、又は主要臓器移植、又は多発性硬化、又は輸血により若しくは手術中にかかったＨＩＶ／ＡＩＤＳ、又はパーキンソン病、又は手足のまひ、又は末期疾患の発生を示す急性及び慢性重大疾患パラメータの所定の検索可能テーブルを含むことと、
前記のプールされたリスクエクスポージャ構成部分の合計リスクが、急性又は慢性重大疾患の診断に関連してリスクエクスポージャに関連付けられる各々のプールされたリスクエクスポージャ構成部分の重大疾患リスク寄与を含み、前記急性又は慢性重大疾患のトリガパラメータは重大疾患の所定の検索可能テーブルに含まれ、重大疾患損失は、前記自動化リソースプーリングシステムが、前記重大疾患のうち１つを有するリスクエクスポージャ構成部分の第１の診断の結果を示す患者測定パラメータと検索可能な前記急性又は慢性重大疾患の発生要件を示す前記急性又は慢性重大疾患のトリガパラメータとを比較し、前記患者測定パラメータが前記急性又は慢性重大疾患のトリガパラメータの発生要件を満たす及び／又は前記急性又は慢性重大疾患のトリガパラメータの値を超えるかを判定することにより発生することと、
前記自動化リソースプーリングシステムは、リスク関連構成部分データを処理し、該処理されたリスク関連構成部分データに基づいて前記のプールされたリスクエクスポージャ構成部分のうち１つ又は複数についての前記リスクエクスポージャ構成部分が前記急性又は慢性重大疾患に該当するかどうかの判定結果を提供する、アセンブリモジュールを含み、リスクエクスポージャ構成部分からの、そのリスクのプーリングのための支払いの受け取り及び記憶は、前記のプールされたリスクエクスポージャ構成部分の前記判定結果及び／又は合計リスクに基づいて、動的に決定可能であることと、
前記患者データフロー経路は、関連測定システムから送信される前記患者データフロー経路の前記患者測定パラメータをトリガすることにより、前記自動化リソースプーリングシステムによって動的に監視され、前記構成部分固有支払いパラメータに基づく電子的な支払い移転は、プールされた前記リスクエクスポージャ構成部分全体の前記合計リスクにより発生する支払いが前記自給自足のリスク保障を維持できる範囲内に収まるように前記自動化リソースプーリングシステムによって動的に決定及び適合されることと、  リスクエクスポージャ構成部分の患者データフロー経路における急性又は慢性重大疾患の発生がトリガされる場合に、対応するトリガフラグが前記自動化リソースプーリングシステムによって設定され、支払いのパラメトリックな移転が、前記対応するトリガフラグに割り当てられ、前記急性又は慢性重大疾患に関連付けられた損失が、それぞれのトリガフラグに基づいて、及び、リスクエクスポージャ構成部分からの前記の受け取られ及び記憶された支払いパラメータに基づいて、前記自動化リソースプーリングシステムから前記リスクエクスポージャ構成部分への前記パラメトリックな移転によって、前記自動化リソースプーリングシステムによって明確にカバーされることと、
第１のパラメトリックな支払いが、前記コアエンジンの前記重大疾患トリガによって前記急性又は慢性重大疾患の発生がトリガされることによって移転され、第２のパラメトリックな支払いが、急性重大疾患の場合、前記急性重大疾患の急性処置フェーズがトリガされることによって、又は慢性重大疾患の場合、前記慢性重大疾患の第１の処置フェーズがトリガされることによって移転され、第３のパラメトリックな支払いが、急性重大疾患の場合、前記急性重大疾患の末期予後データにリンクされたアフターケアフェーズがトリガされることによって、又は慢性重大疾患の場合、前記慢性重大疾患の進行中ケア又は管理フェーズがトリガされることによって移転されることと、
前記重大疾患トリガの発生条件は、診断若しくは処置における向上を示す診断若しくは処置状態及び／又は重大疾患状態の時間相関発生率データに基づいて、動作モジュールによって時間の経過に伴って変更されることと、
移転される第１、第２、及び第３のパラメトリックな支払いの総計が、特定のリスクエクスポージャ構成部分に配分される合計のパラメトリックな支払いとなるように生成され、
前記配分される合計のパラメトリックな支払いは、少なくとも、前記リスク関連構成部分データ、及び／又は前記リスク関連構成部分データに基づいた前記のプールされたリスクエクスポージャ構成部分の１つ又は複数の前記判定結果に基づいて決定されることと、
を特徴とするシステム。
【請求項２】
前記重大疾患トリガは、前記患者データフロー経路における思い出し、及び／又は推論し、及び／又は知覚し、理解し、表現し、アイデアを実現する能力の永続的な臨床的損失に関連付けられた測定パラメータに基づいて認知症を示す測定パラメータの発生をトリガするトリガを含む、請求項１に記載のシステム。
【請求項３】
前記のトリガされる、認知症を示す測定パラメータは、認知機能についての確認された障害を示す、副腎疲労要因、及び／又は食物及び化学反応要因、及び／又は栄養失調要因、及び／又はストレス要因、及び／又はうつ病要因、又は否認要因に基づいた、身体的パラメータ、及び／又は心理学的パラメータ、及び／又は生化学的パラメータ、及び／又は認知要因を含む、請求項２に記載のシステム。
【請求項４】
前記慢性重大疾患の第１の処置フェーズをトリガする前記重大疾患トリガは、緊急処置を必要とする認知症ステータスにおける悪化の結果としての急性入院患者許可パラメータを含む、前記リスクエクスポージャ構成部分に関連付けられた精神医学的又は高齢入院患者ケアを示す第１の処置フェーズパラメータを含む、請求項１乃至３のうちいずれか１項に記載のシステム。
【請求項５】
前記慢性重大疾患の進行中ケア又は管理フェーズをトリガする前記重大疾患トリガは、別の人間の継続的な監督を必要とする永続的な認知及び／又は運動障害を示す進行中ケア又は管理フェーズパラメータ、及び／又は、別の人間の一定の監督を必要とする永続的な認知及び／又は運動障害を示す進行中ケア又は管理フェーズパラメータを含む、請求項１乃至４のうちいずれか１項に記載のシステム。
【請求項６】
前記重大疾患トリガは、可能性として永続的な認知又は運動障害に関連付けられた測定パラメータに基づいて脳卒中を示し、かつ／あるいは前記患者データフロー経路における急性脳卒中エピソードの時間を示す測定パラメータの発生をトリガするトリガを含む、請求項１乃至５のうちいずれか１項に記載のシステム。
【請求項７】
前記慢性重大疾患の第１の処置フェーズをトリガする前記重大疾患トリガは、トリガされた脳卒中に起因して入院する前記リスクエクスポージャ構成部分の測定された時間間隔を示す第１の処置フェーズパラメータを含む、請求項１乃至６のうちいずれか１項に記載のシステム。
【請求項８】
前記慢性重大疾患の進行中ケア又は管理フェーズをトリガする前記重大疾患トリガは、認知機能の永続的な障害、及び／又は、別の人間の継続的な監督を必要とする永続的な認知及び／又は運動障害、及び／又は、別の人間の一定の監督を必要とする永続的な認知及び／又は運動障害、を示す進行中ケア又は管理フェーズパラメータを含む、請求項１乃至７のうちいずれか１項に記載のシステム。
【請求項９】
前記重大疾患トリガは、前記患者データフロー経路におけるアルコール及び／又は薬物中毒を示す測定パラメータをトリガするトリガをさらに含み、アルコール及び／又は薬物中毒を示す測定パラメータをトリガすることに対して、関連するリスクエクスポージャ構成部分は、前記自動化リソースプーリングシステムによって前記リスク及びリソースをプールすることから拒絶される、請求項１乃至８のうちいずれか１項に記載のシステム。
【請求項１０】
前記急性重大疾患の重大疾患トリガは、前記患者データフロー経路における手術、及び／又は化学療法、及び／又は放射線療法、及び／又は再建手術を示す急性処置フェーズパラメータをトリガする、請求項１乃至７のうちいずれか１項に記載のシステム。
【請求項１１】
配分される合計のパラメトリックな支払いは、リスク関連構成部分データに、及び／又は、前記リスク関連構成部分データに基づいた前記のプールされたリスクエクスポージャ構成部分のうち１つ又は複数についてのリスクエクスポージャの確率に、少なくとも基づいて決定され、第１の部分は、前記合計の支払い総計のうち最大３０％を移転され、第２の部分は、前記合計の支払い総計のうち最大５０％を移転され、第３の部分は、最大、前記合計の支払い総計マイナス実際の前記第１の部分及び前記第２の部分により与えられる残余部分を移転される、請求項１乃至１０のうちいずれか１項に記載のシステム。
【請求項１２】
前記自動化リソースプーリングシステムは、複数の支払い受け取りモジュールによる前記リスクエクスポージャ構成部分から前記自動化リソースプーリングシステムへの周期的な支払い移転を要求する監視モジュールを含み、前記リスクエクスポージャ構成部分のためのリスク保障は、前記周期的な移転が前記監視モジュールによって検出可能でないとき、前記監視モジュールによって中断される、請求項１乃至１１のうちいずれか１項に記載のシステム。
【請求項１３】
周期的な支払い移転の要求は、重大疾患の指標の発生がリスクエクスポージャ構成部分の患者データフロー経路においてトリガされるとき、前記監視モジュールによって中断され、あるいは放棄される、請求項１２に記載のシステム。
【請求項１４】
前記リスクエクスポージャ構成部分の患者データフロー経路の重大疾患データが、自動化されたサポートを前記リスクエクスポージャ構成部分に提供する自動化された従業員支援システム（ＥＡＰ：従業員支援プログラム）に移転される、請求項１乃至１３のうちいずれか１項に記載のシステム。
【請求項１５】
前記患者データフロー経路は、少なくとも周期的に及び／又は所定の時間フレーム内に前記患者データフロー経路の患者測定パラメータを捕捉することによって、前記自動化リソースプーリングシステムによって監視される、請求項１乃至１４のうちいずれか１項に記載のシステム。
【請求項１６】
自動化リソースプーリングシステムにより可変数のリスクエクスポージャ構成部分に動的な自給自足のリスク保障を提供することによって年配者のリスクに関連付けられた重大疾患リスクについてリスク共有する、前記自動化リソースプーリングシステムに基づいた完全に自動化された自己適合性のイベント駆動型重大疾患保険システムであって、前記リスクエクスポージャ構成部分は、該リスクエクスポージャ構成部分からのそのリスク及びリソースのプーリングのための支払いを受け取り及び記憶するように構成された複数の支払い受け取りモジュールによって、前記自動化リソースプーリングシステムと相互作用し、前記支払いは、電子ネットワークを通じて支払い受け取りモジュールによる電子マネー移転によって構成部分固有支払いパラメータに基づいて移転可能であり且つ記憶可能であり、前記自動化リソースプーリングシステムは、前記リスクエクスポージャ構成部分の受け取られ及び記憶された支払いに基づいて特定のリスクエクスポージャ構成部分にリスク保障を提供するように患者データフロー経路においてトリガされる重大疾患トリガを含むイベント駆動型コアエンジンを含み、前記自動化リソースプーリングシステムは、リスクエクスポージャ構成部分の年齢関連パラメータを捕捉し、所定の年齢閾値より大きい年齢関連パラメータに関連付けられたリスクエクスポージャ構成部分を特定するデータを前記所定の年齢閾値によってフィルタする、フィルタモジュールを含み、
前記自動化リソースプーリングシステムは、前記患者データフロー経路における認知症、又は心臓発作、又はがん、又は脳卒中、又は冠動脈バイパス手術、又はアルツハイマー病、又は失明、又は難聴、又は腎不全、又は主要臓器移植、又は多発性硬化、又は輸血により若しくは手術中にかかったＨＩＶ／ＡＩＤＳ、又はパーキンソン病、又は手足のまひ、又は末期疾患の発生を示す急性又は慢性重大疾患パラメータの所定の検索可能テーブルを含むことと、
前記のプールされたリスクエクスポージャ構成部分の合計リスクが、重大疾患の第１の診断に関連してリスクエクスポージャに関連付けられる各々のプールされたリスクエクスポージャ構成部分の第１のリスク寄与を含み、前記重大疾患のトリガパラメータは、重大疾患の所定の検索可能テーブルに含まれ、重大疾患損失は、前記自動化リソースプーリングシステムが、前記重大疾患のうち１つを有するリスクエクスポージャ構成部分の前記第１の診断の結果を示す患者測定パラメータと検索可能な前記重大疾患の発生要件を示す前記重大疾患のトリガパラメータとを比較し、該患者測定パラメータが前記重大疾患のトリガパラメータの発生要件を満たす及び／又は前記重大疾患のトリガパラメータの値を超えるかを判定することにより発生することと、
前記のプールされたリスクエクスポージャ構成部分の合計リスクが、第２の及び／又は連続的な重大疾患に関連してリスクエクスポージャに関連付けられた少なくとも第２の及び／又は連続的なリスク寄与を含み、前記重大疾患のトリガパラメータは、前記所定の検索可能テーブルに含まれ、重大疾患損失は、前記自動化リソースプーリングシステムが、前記重大疾患のうち１つを有するリスクエクスポージャ構成部分の前記第２の及び／又は連続的な診断の結果を示す患者測定パラメータと検索可能な前記重大疾患の発生要件を示す前記重大疾患のトリガパラメータとを比較し、該患者測定パラメータが前記重大疾患のトリガパラメータの発生要件を満たす及び／又は前記重大疾患のトリガパラメータの値を超えるかを判定することにより発生することと、
前記自動化リソースプーリングシステムは、リスク関連構成部分データを処理し、該処理されたリスク関連構成部分データに基づいて前記のプールされたリスクエクスポージャ構成部分のうち１つ又は複数についての前記リスクエクスポージャ構成部分が前記急性又は慢性重大疾患に該当するかどうかの判定結果を提供する、アセンブリモジュールを含み、リスクエクスポージャ構成部分からの、そのリスクのプーリングのための支払いの受け取り及び記憶は、前記のプールされたリスクエクスポージャ構成部分の前記判定結果及び／又は合計リスクに基づいて、動的に決定可能であることと、
前記患者データフロー経路は、関連測定システムから送信される前記患者データフロー経路の前記患者測定パラメータをトリガすることにより、前記自動化リソースプーリングシステムによって動的に監視され、前記構成部分固有支払いパラメータに基づく電子的な支払い移転は、プールされた前記リスクエクスポージャ構成部分全体の前記合計リスクにより発生する支払いが前記自給自足のリスク保障を維持できる範囲内に収まるように前記自動化リソースプーリングシステムによって動的に決定及び適合されることと、
リスクエクスポージャ構成部分の前記患者データフロー経路上の第１の又は第２の若しくは連続的な重大疾患の発生がトリガされる場合に、対応するトリガフラグが前記自動化リソースプーリングシステムによって設定され、支払いのパラメトリックドローダウン移転が、前記対応するトリガフラグに割り当てられ、前記第１の又は第２の若しくは連続的な重大疾患に関連付けられた損失が、それぞれのトリガフラグに基づいて、及び、リスクエクスポージャ構成部分からの前記の受け取られ及び記憶された支払いパラメータに基づいて、前記自動化リソースプーリングシステムから前記リスクエクスポージャ構成部分への前記パラメトリックドローダウン移転によって、前記自動化リソースプーリングシステムによって明確にカバーされることと、
第１のパラメトリックな支払いが、前記コアエンジンの前記重大疾患トリガによって急性又は慢性重大疾患の発生がトリガされることによって移転され、第２のパラメトリックな支払いが、急性重大疾患の場合、前記急性重大疾患の急性処置フェーズがトリガされることによって、又は慢性重大疾患の場合、前記慢性重大疾患の第１の処置フェーズがトリガされることによって移転され、第３のパラメトリックな支払いが、急性重大疾患の場合、前記急性重大疾患の末期予後データにリンクされたアフターケアフェーズがトリガされることによって、又は慢性重大疾患の場合、前記慢性重大疾患の進行中ケア又は管理フェーズがトリガされることによって移転されることと、
前記重大疾患トリガの発生条件は、診断若しくは処置における向上を示す診断若しくは処置状態及び／又は重大疾患状態の時間相関発生率データに基づいて、動作モジュールによって時間の経過に伴って変更されることと、
移転される第１、第２、及び第３のパラメトリックな支払いの総計が、特定のリスクエクスポージャ構成部分に配分される合計のパラメトリックな支払いとなるように生成され、
前記配分される合計のパラメトリックな支払いは、少なくとも、前記リスク関連構成部分データ、及び／又は前記リスク関連構成部分データに基づいた前記のプールされたリスクエクスポージャ構成部分の１つ又は複数の前記判定結果に基づいて決定されることと、
を特徴とするシステム。
【請求項１７】
自動化リソースプーリングシステムにより可変数のリスクエクスポージャ構成部分に動的な自給自足のリスク保障を提供することによって年配者のリスクに関連付けられた重大疾患リスクについてリスク共有する完全に自動化された自己適合性の方法であって、前記リスクエクスポージャ構成部分は、複数の支払い受け取りモジュールによって前記自動化リソースプーリングシステムと相互作用し、支払いデータが、リスクエクスポージャ構成部分から、そのリスクのプーリングのために、支払いデータストアによって受け取られ及び記憶され、前記支払いは、電子ネットワークを通じて支払い受け取りモジュールによる電子マネー移転によって構成部分固有支払いパラメータに基づいて移転可能であり且つ記憶可能であり、前記自動化リソースプーリングシステムは、前記リスクエクスポージャ構成部分からの受け取られ及び記憶された支払いに基づいて特定のリスクエクスポージャ構成部分にリスク保障を提供するように、患者データフロー経路においてトリガされる重大疾患トリガを含むイベント駆動型コアエンジンを含み、所定の年齢閾値より大きい年齢関連パラメータに関連付けられたリスクエクスポージャ構成部分を特定するデータが、フィルタモジュール及び前記所定の年齢閾値によってフィルタされ及び捕捉され、
前記患者データフロー経路における認知症、又は心臓発作、又はがん、又は脳卒中、又は冠動脈バイパス手術、又はアルツハイマー病、又は失明、又は難聴、又は腎不全、又は主要臓器移植、又は多発性硬化、又は輸血により若しくは手術中にかかったＨＩＶ／ＡＩＤＳ、又はパーキンソン病、又は手足のまひ、又は末期疾患の発生を示す急性及び慢性重大疾患パラメータが、所定の検索可能テーブルによって記憶されることと、
前記のプールされたリスクエクスポージャ構成部分の合計リスクが、急性又は慢性重大疾患の診断に関連してリスクエクスポージャに関連付けられる各々のプールされたリスクエクスポージャ構成部分の重大疾患リスク寄与を含み、前記急性又は慢性重大疾患のトリガパラメータは重大疾患の所定の検索可能テーブルに含まれ、重大疾患損失は、前記自動化リソースプーリングシステムが、前記重大疾患のうち１つを有するリスクエクスポージャ構成部分の第１の診断の結果を示す患者測定パラメータと検索可能な前記急性又は慢性重大疾患の発生要件を示す前記急性又は慢性重大疾患のトリガパラメータとを比較し、前記患者測定パラメータが前記急性又は慢性重大疾患のトリガパラメータの発生要件を満たす及び／又は前記急性又は慢性重大疾患のトリガパラメータの値を超えるかを判定することにより発生することと、
リスク関連構成部分データが、前記自動化リソースプーリングシステムのアセンブリモジュールによって処理され、前記リスクエクスポージャ構成部分が前記急性又は慢性重大疾患に該当するかどうかの判定結果が、前記処理されたリスク関連構成部分データに基づいて、前記のプールされたリスクエクスポージャ構成部分のうち１つ又は複数について、前記アセンブリモジュールによって提供され、リスクエクスポージャ構成部分からの、そのリスクのプーリングのための支払いの受け取り及び記憶は、前記のプールされたリスクエクスポージャ構成部分の前記判定結果及び／又は合計リスクに基づいて、動的に決定されることと、
前記患者データフロー経路は、関連測定システムから送信される前記患者データフロー経路の前記患者測定パラメータをトリガすることにより、前記自動化リソースプーリングシステムによって動的に監視され、前記構成部分固有支払いパラメータに基づく電子的な支払い移転は、プールされた前記リスクエクスポージャ構成部分全体の前記合計リスクにより発生する支払いが前記自給自足のリスク保障を維持できる範囲内に収まるように前記自動化リソースプーリングシステムによって動的に決定及び適合されることと、
リスクエクスポージャ構成部分の患者データフロー経路における急性又は慢性重大疾患の発生がトリガされる場合に、対応するトリガフラグが前記自動化リソースプーリングシステムによって設定され、支払いのパラメトリックな移転が、前記対応するトリガフラグに割り当てられ、前記急性又は慢性重大疾患に関連付けられた損失が、それぞれのトリガフラグに基づいて、及び、リスクエクスポージャ構成部分からの前記の受け取られ及び記憶された支払いパラメータに基づいて、前記自動化リソースプーリングシステムから前記リスクエクスポージャ構成部分への前記パラメトリックな移転によって、前記自動化リソースプーリングシステムによって明確にカバーされることと、
第１のパラメトリックな支払いが、前記コアエンジンの前記重大疾患トリガによって前記急性又は慢性重大疾患の発生がトリガされることによって移転され、第２のパラメトリックな支払いが、急性重大疾患の場合、前記急性重大疾患の急性処置フェーズがトリガされることによって、又は慢性重大疾患の場合、前記慢性重大疾患の第１の処置フェーズがトリガされることによって移転され、第３のパラメトリックな支払いが、急性重大疾患の場合、前記急性重大疾患の末期予後データにリンクされたアフターケアフェーズがトリガされることによって、又は慢性重大疾患の場合、前記慢性重大疾患の進行中ケア又は管理フェーズがトリガされることによって移転されることと、
移転される第１、第２、及び第３のパラメトリックな支払いの総計が、特定のリスクエクスポージャ構成部分に配分される合計のパラメトリックな支払いとなるように生成され、
前記配分される合計のパラメトリックな支払いは、少なくとも、前記リスク関連構成部分データ、及び／又は前記リスク関連構成部分データに基づいた前記のプールされたリスクエクスポージャ構成部分の１つ又は複数の前記判定結果に基づいて決定されることと、
を特徴とする方法。
【請求項１８】
前記患者データフロー経路における思い出し、及び／又は推論し、及び／又は知覚し、理解し、表現し、アイデアを実現する能力の永続的な臨床的損失に関連付けられた測定パラメータに基づいて認知症を示す測定パラメータの発生が、前記重大疾患トリガのトリガによってトリガされる、請求項１７に記載の方法。
【請求項１９】
前記のトリガされる、認知症を示す測定パラメータは、認知機能についての確認された障害を示す、副腎疲労要因、及び／又は食物及び化学反応要因、及び／又は栄養失調要因、及び／又はストレス要因、及び／又はうつ病要因、又は否認要因に基づいた、身体的パラメータ、及び／又は心理学的パラメータ、及び／又は生化学的パラメータ、及び／又は認知要因を含む、請求項１８に記載の方法。
【請求項２０】
前記慢性重大疾患の第１の処置フェーズをトリガする前記重大疾患トリガは、緊急処置を必要とする認知症ステータスにおける悪化の結果としての急性入院患者許可パラメータを含む、前記リスクエクスポージャ構成部分に関連付けられた精神医学的又は高齢入院患者ケアを示す第１の処置フェーズパラメータを含む、請求項１７乃至１９のうちいずれか１項に記載の方法。
【請求項２１】
前記慢性重大疾患の進行中ケア又は管理フェーズをトリガする前記重大疾患トリガは、別の人間の継続的な監督を必要とする永続的な認知及び／又は運動障害を示す進行中ケア又は管理フェーズパラメータ、及び／又は、別の人間の一定の監督を必要とする永続的な認知及び／又は運動障害を示す進行中ケア又は管理フェーズパラメータを含む、請求項１７乃至２０のうちいずれか１項に記載の方法。
【請求項２２】
前記重大疾患トリガは、可能性として永続的な認知又は運動障害に関連付けられた測定パラメータに基づいて脳卒中を示し、かつ／あるいは前記患者データフロー経路における急性脳卒中エピソードの時間を示す測定パラメータの発生をトリガするトリガを含む、請求項１７乃至２１のうちいずれか１項に記載の方法。
【請求項２３】
前記慢性重大疾患の第１の処置フェーズをトリガする前記重大疾患トリガは、トリガされた脳卒中に起因して入院する前記リスクエクスポージャ構成部分の測定された時間間隔を示す第１の処置フェーズパラメータを含む、請求項１７乃至２２のうちいずれか１項に記載の方法。
【請求項２４】
前記慢性重大疾患の進行中ケア又は管理フェーズをトリガする前記重大疾患トリガは、認知機能の永続的な障害、及び／又は、別の人間の継続的な監督を必要とする永続的な認知及び／又は運動障害、及び／又は、別の人間の一定の監督を必要とする永続的な認知及び／又は運動障害、を示す進行中ケア又は管理フェーズパラメータを含む、請求項１７乃至２３のうちいずれか１項に記載の方法。
【請求項２５】
前記重大疾患トリガは、前記患者データフロー経路におけるアルコール及び／又は薬物中毒を示す測定パラメータをトリガするトリガをさらに含み、アルコール及び／又は薬物中毒を示す測定パラメータをトリガすることに対して、関連するリスクエクスポージャ構成部分は、前記自動化リソースプーリングシステムによって前記リスク及びリソースをプールすることから拒絶される、請求項１７乃至２４のうちいずれか１項に記載の方法。
【請求項２６】
前記急性重大疾患の重大疾患トリガは、前記患者データフロー経路における手術、及び／又は化学療法、及び／又は放射線療法、及び／又は再建手術を示す急性処置フェーズパラメータをトリガする、請求項１７乃至２５のうちいずれか１項に記載の方法。
【請求項２７】
配分される合計のパラメトリックな支払いは、リスク関連構成部分データに、及び／又は、前記リスク関連構成部分データに基づいた前記のプールされたリスクエクスポージャ構成部分のうち１つ又は複数についてのリスクエクスポージャの確率に、少なくとも基づいて決定され、第１の部分は、前記合計の支払い総計のうち最大３０％を移転され、第２の部分は、前記合計の支払い総計のうち最大５０％を移転され、第３の部分は、最大、前記合計の支払い総計マイナス実際の前記第１の部分及び前記第２の部分により与えられる残余部分を移転される、請求項１７乃至２６のうちいずれか１項に記載の方法。
【請求項２８】
監視モジュールによって、周期的な支払い移転が、複数の支払い受け取りモジュールによって前記リスクエクスポージャ構成部分から前記自動化リソースプーリングシステムに要求され、前記リスクエクスポージャ構成部分のためのリスク保障は、前記周期的な移転が前記監視モジュールによって検出可能でないとき、前記監視モジュールによって中断される、請求項１７乃至２７のうちいずれか１項に記載の方法。
【請求項２９】
周期的な支払い移転の要求は、重大疾患の指標の発生がリスクエクスポージャ構成部分の患者データフロー経路においてトリガされるとき、前記監視モジュールによって中断され、あるいは放棄される、請求項２８に記載の方法。
【請求項３０】
前記リスクエクスポージャ構成部分の患者データフロー経路の重大疾患データが、自動化されたサポートを前記リスクエクスポージャ構成部分に提供する自動化された従業員支援システム（ＥＡＰ：従業員支援プログラム）に移転される、請求項１７乃至２９のうちいずれか１項に記載の方法。
【請求項３１】
前記患者データフロー経路は、少なくとも周期的に及び／又は所定の時間フレーム内に前記患者データフロー経路の患者測定パラメータを捕捉することによって、前記自動化リソースプーリングシステムによって監視される、請求項１７乃至３０のうちいずれか１項に記載の方法。
【請求項３２】
自動化リソースプーリングシステムにより可変数のリスクエクスポージャ構成部分に動的な自給自足のリスク保障を提供することによって年配者のリスクに関連付けられた重大疾患リスクについてリスク共有する、前記自動化リソースプーリングシステムに基づいた完全に自動化された自己適合性のイベント駆動型重大疾患保険方法であって、前記リスクエクスポージャ構成部分は、該リスクエクスポージャ構成部分からのそのリスク及びリソースのプーリングのための支払いを受け取り及び記憶するように構成された複数の支払い受け取りモジュールによって、前記自動化リソースプーリングシステムと相互作用し、前記支払いは、電子ネットワークを通じて支払い受け取りモジュールによる電子マネー移転によって構成部分固有支払いパラメータに基づいて移転可能であり且つ記憶可能であり、前記自動化リソースプーリングシステムは、前記リスクエクスポージャ構成部分の受け取られ及び記憶された支払いに基づいて特定のリスクエクスポージャ構成部分にリスク保障を提供するように患者データフロー経路においてトリガされる重大疾患トリガを含むイベント駆動型コアエンジンを含み、フィルタモジュールによって、リスクエクスポージャ構成部分の年齢関連パラメータが捕捉され、所定の年齢閾値より大きい年齢関連パラメータに関連付けられたリスクエクスポージャ構成部分を特定するデータが、前記所定の年齢閾値によってフィルタされ、
前記自動化リソースプーリングシステムは、前記患者データフロー経路における認知症、又は心臓発作、又はがん、又は脳卒中、又は冠動脈バイパス手術、又はアルツハイマー病、又は失明、又は難聴、又は腎不全、又は主要臓器移植、又は多発性硬化、又は輸血により若しくは手術中にかかったＨＩＶ／ＡＩＤＳ、又はパーキンソン病、又は手足のまひ、又は末期疾患の発生を示す急性及び慢性重大疾患パラメータの所定の検索可能テーブルを含むことと、
前記のプールされたリスクエクスポージャ構成部分の合計リスクが、重大疾患の第１の診断に関連してリスクエクスポージャに関連付けられる各々のプールされたリスクエクスポージャ構成部分の第１のリスク寄与を含み、前記重大疾患のトリガパラメータは、重大疾患の所定の検索可能テーブルに含まれ、重大疾患損失は、前記自動化リソースプーリングシステムが、前記重大疾患のうち１つを有するリスクエクスポージャ構成部分の前記第１の診断の結果を示す患者測定パラメータと検索可能な前記重大疾患の発生要件を示す前記重大疾患のトリガパラメータとを比較し、該患者測定パラメータが前記重大疾患のトリガパラメータの発生要件を満たす及び／又は前記重大疾患のトリガパラメータの値を超えるかを判定することにより発生することと、
前記のプールされたリスクエクスポージャ構成部分の合計リスクが、第２の及び／又は連続的な重大疾患に関連してリスクエクスポージャに関連付けられる少なくとも第２の及び／又は連続的なリスク寄与を含み、前記重大疾患のトリガパラメータは、前記所定の検索可能テーブルの重大疾患パラメータに含まれ、重大疾患損失は、前記自動化リソースプーリングシステムが、前記重大疾患のうち１つを有するリスクエクスポージャ構成部分の前記第２の及び／又は連続的な診断の結果を示す患者測定パラメータと検索可能な前記重大疾患の発生要件を示す前記重大疾患のトリガパラメータとを比較し、該患者測定パラメータが前記重大疾患のトリガパラメータの発生要件を満たす及び／又は前記重大疾患のトリガパラメータの値を超えるかを判定することにより発生することと、
リスク関連構成部分データが、前記自動化リソースプーリングシステムのアセンブリモジュールによって処理され、前記リスクエクスポージャ構成部分が前記急性又は慢性重大疾患に該当するかどうかの判定結果が、前記処理されたリスク関連構成部分データに基づいて、前記のプールされたリスクエクスポージャ構成部分のうち１つ又は複数について、前記アセンブリモジュールによって提供され、リスクエクスポージャ構成部分からの、そのリスクのプーリングのための支払いの受け取り及び記憶は、前記のプールされたリスクエクスポージャ構成部分の前記判定結果及び／又は合計リスクに基づいて、動的に決定されることと、
前記患者データフロー経路は、関連測定システムから送信される前記患者データフロー経路の前記患者測定パラメータをトリガすることにより、前記自動化リソースプーリングシステムによって動的に監視され、前記構成部分固有支払いパラメータに基づく電子的な支払い移転は、プールされた前記リスクエクスポージャ構成部分全体の前記合計リスクにより発生する支払いが前記自給自足のリスク保障を維持できる範囲内に収まるように前記自動化リソースプーリングシステムによって動的に決定及び適合されることと、
リスクエクスポージャ構成部分の前記患者データフロー経路における第１の又は第２の若しくは連続的な重大疾患の発生がトリガされる場合に、対応するトリガフラグが前記自動化リソースプーリングシステムによって設定され、支払いのパラメトリックドローダウン移転が、前記対応するトリガフラグに割り当てられ、前記第１の又は第２の若しくは連続的な重大疾患に関連付けられた損失が、それぞれのトリガフラグに基づいて、及び、リスクエクスポージャ構成部分からの前記の受け取られ及び記憶された支払いパラメータに基づいて、前記自動化リソースプーリングシステムから前記リスクエクスポージャ構成部分への前記パラメトリックドローダウン移転によって、前記自動化リソースプーリングシステムによって明確にカバーされることと、
第１のパラメトリックな支払いが、前記コアエンジンの前記重大疾患トリガによって急性又は慢性重大疾患の発生がトリガされることによって移転され、第２のパラメトリックな支払いが、急性重大疾患の場合、前記急性重大疾患の急性処置フェーズがトリガされることによって、又は慢性重大疾患の場合、前記慢性重大疾患の第１の処置フェーズがトリガされることによって移転され、第３のパラメトリックな支払いが、急性重大疾患の場合、前記急性重大疾患の末期予後データにリンクされたアフターケアフェーズがトリガされることによって、又は慢性重大疾患の場合、前記慢性重大疾患の進行中ケア又は管理フェーズがトリガされることによって移転されることと、
移転される第１、第２、及び第３のパラメトリックな支払いの総計が、特定のリスクエクスポージャ構成部分に配分される合計のパラメトリックな支払いとなるように生成され、
前記配分される合計のパラメトリックな支払いは、少なくとも、前記リスク関連構成部分データ、及び／又は前記リスク関連構成部分データに基づいた前記のプールされたリスクエクスポージャ構成部分の１つ又は複数の前記判定結果に基づいて決定されることと、
を特徴とする方法。
【発明の詳細な説明】
【技術分野】
【０００１】
本発明は、リソースプーリングシステムによってリスクエクスポージャ構成部分に動的な自給自足のリスク保障を提供することにより、年配者に関連付けられる重大疾患リスクのリスク共有を提供する、重大疾患保険システムに関する。具体的に、本発明は、患者データフロー経路上でトリガする自動化されたイベント駆動型システムに関する。
【背景技術】
【０００２】
今日、生活セクタ及び非生活セクタには、多くの局面に関連する有意なリスクエクスポージャが存在する。任意の種類のオブジェクト、個人、企業体、及び／又は法的エンティティとして、リスクに晒されたユニットは、必ず、多くの形式の能動的及び受動的リスク管理に直面し、特定の損失及びイベントのリスクに対してヘッジし、保護をする。従来技術において、こうした損失のリスクに対処するための一方法は、複数のリスクに晒されたエンティティから専用のプーリングエンティティに損失のリスクを移転することと、プールすることとに基づいている。本質において、このことは、特定のリスクに晒されている関連付けられたユニットのリソースをプールすることによって、損失のリスクを上記のプーリングユニット又はエンティティに効果的に配分することにより、実行することができる。ユニットの１つに、移転されたリスクに関連して生じるイベントがヒットした場合、プーリングエンティティは、プールされたリソースから、影響を受けるユニットにリソースを移転することによって、イベントにより引き起こされる損失又は損害を直接捕らえる（intercepts）。リソースのプーリングは、所定量のリソースをリソースプーリングシステムで交換することによって達成することができ、例えば、リスクの移転について、支払い、又は支払われるべき保険証などである。このことは、所定量のリソースが、損失のリスクを仮定する他のユニットに対して交換されることを意味する。
【０００３】
生活する個人個人について、特別な種類のリスクは、人命の損失及び関連するあり得る損失、すなわち、個人の死の結果として生じる損失の、リスクに基づく。こうしたリスクは、伝統的に、いわゆる生命保険システムによって取り扱われる。生命保険契約により提供される恩恵に対する損失を運営するために、相当量の情報が、リスク移転を可能にするようにプーリングエンティティにより収集され、管理されなければならない。適切な文書化が識別され、捕捉され、分析されなければならず、例えば、死亡証明書、又は、健康／補足的健康の場合には、状態又はサービスの医療提供者検証などである。１つの重要な問題は、生命保険の方法が、リスクが移転されるユニットの死によりトリガされるという事実によって、起こる。しかしながら、しばしば問題は、その前に個人について、死に至るイベントの結果としての死の前に生じる損失によって金融リソースが脅かされたという点において、起こる。このことは、大抵、個人の死に必然的に至ることになる悪性がんのような潜在的に末期の病気を個人が患っているとき、当てはまる。典型的に、患者は、医療処置のための増加するコスト、又は移動費用若しくは追加的な暖房コストなど他の関連するコストの増加と、さらに、自身の毎月の金融ニーズを全うするのに必要とされるお金を稼ぐ能力の減少とに直面する。このことは、多くの犠牲を払わなければならない必要につながる可能性があり、例えば、ケアのための十分な金融サポートを提供できないこと、自身の家を売却すること、及び破産のことで頭がいっぱいになることなどである。すべての上記の金融的関心が、患者の健康に、反対の方向に影響を与えた。回復が遅れ、ストレスが不十分な健康をさらに悪化させ、ときには自殺に終わることさえある。
【０００４】
一解決策として、上記のような「重大疾患」をカバーするリソースプーリングシステムが開発された。これにおいて、保険業者により運用されるリソースプーリングユニットは、保険業者の視点から見て保険契約者であるリスクに晒されたユニットが、移転されたリスクの定義されたテーブルに列挙されている重大疾患の１つと診断された場合に、一時現金払いを提供する。リソースプーリングシステムの動作は、さらに、定収入を払い出すように構造化されてもよく、払い出しはさらに、外科治療を受ける、例えば、心臓バイパス手術を有する保険契約者の利益になってもよい。典型的に、こうしたシステムは、リスクに晒されたユニットが、最初に疾患が診断されたときから最小日数を生き延びること（いわゆる生存期間）を必要とする。生存期間は変動する可能性があるが、１４日が、最も一般的に使用される生存期間である。オーストラリアの市場において、生存期間は、８〜１４日間に設定される。しかしながら、例えば、加速された支払いに基づく保障及びスタンドアロンの製品などのシステムがさらに知られている。取り決め（terms）は、リスク移転について定義されるとき、典型的に、重大疾患の診断がいつ有効と考えられるかの決定についての原則を提供する、適用されるべき特定の所定のトリガ又はルールを含む。生存期間についての取り決めは、さらに、疾患若しくは状態の処置、又は診断を確認する名称特定テスト、例えば、心筋梗塞の場合におけるＥＣＧ変化を、専門とする医師によって診断が行われる必要があることを提供するパラメータを定義し得る。多くの市場において、病気及び状態の多くについてのトリガパラメータは、標準化されてきている。ゆえに、典型的に、リソースプーリングシステムは、同じ定義を使用することになる（スタンドアロンの製品及び加速された重大疾患システムを参照）。重大疾患定義の標準化は多くの目的を果たし、リスクに晒されたユニットのカバレージのより良好な明確さと、異なるリソースプーリングシステム間でのリスク移転の取り決め及び条件（conditions）のより大きい比較可能性とが含まれる。こうした取り決め及び条件は、しばしば、リスク移転をカバーする契約の中に定義される。例えば、ＵＫにおいて、英国保険協会（ＡＢＩ；Association  of  British  Insurers）はベストプラクティス宣言（Statement  of  Best  Practice）を発行しており、これは、一般的な重大疾患についての多数の標準定義を含む。従来技術は、さらに、一時現金払い方法の他に、重大疾患リスク移転の代替的方法を提供している。上記重大疾患保険システムは、契約に明記されたとおりの処置のコースごとに最大で特定量までの高ランクの病院の選択グループにおける専門家及び治療のための料金を含む、保険契約者の保険契約によりカバーされる重大な及び生命を脅かす疾患を伴う処置コストについて、保健提供者（health  providers）に（例えば、「段階的支払い（tiers  payant）」システムとして）直接支払うことができ、さらに、顧客に支払いを移転する。
【０００５】
従来技術において、重大疾患は、典型的に、重大疾患リスク移転によりカバーされ、これらは、心臓発作、がん、脳卒中、及び冠動脈バイパス手術である。カバーされる可能性がある他の状態の例には、アルツハイマー病、失明、難聴、腎不全、主要臓器移植、多発性硬化、輸血により又は手術中にかかったＨＩＶ／ＡＩＤＳ、パーキンソン病、手足のまひ、末期疾患が含まれる。従来技術により提供されるリスク移転システムの問題の１つは、状態の発生率が時間と共に変動する（すなわち、増加又は減少する）可能性があり、診断及び処置が時間と共に向上する可能性があり、十年前に重大であると思われたいくつかの疾患をカバーするための金融ニーズが、今日はもはや必要と考えられないという事実にある。同様に、今日カバーされる状態のいくつかは、今から１０年ほどで、カバーされる必要がもはやない可能性がある。従来技術のシステムをこうした変化する条件に適合させることは、非常に困難である。明らかであるのは、診断の時点における金融的苦難と、その後の処置のコース中の増加であり、このことは、現在のシステムではほぼ満たされる可能性がない。さらに、従来技術のシステムを運用することは、高レベルの人的リソースを必要とする。なぜならば、これらシステムは、適切に自動化されることができないからである。したがって、大量のプールされたリソースがリソースプーリングシステム自体によって使用されて、リスク移転が運営され、このことは、リスクに晒されたユニットに対して、リスク移転を高価にする。最終的に、医療の進歩に起因して、心臓発作、脳卒中、及びがんの処置を受けた後、多くの患者はもはや死ぬことがなく、多年にわたり生き延びることができるという事実から、別の問題が生じる。長い生存期間に起因して、重大疾患に既に一度襲われている個人は、重大疾患についての第２の発生又は結果として生じる発生のリスクに晒され続ける。実際、こうした患者の健康は重大疾患の最初の発症により既に弱められているため、リスクは典型的に減少しない。重大疾患は死に至ることが伝統的に意味されるので、第２の又はさらに多くの重大疾患により影響を受ける可能性がある個人を伴うリスクは、もはやリソースプーリングシステムではカバーされない。したがって、患者が自身の重大疾患との最初の闘いを生き延びても、この患者は、少なくとも金融的に、２回目を生き延びない可能性がある。
【０００６】
伝統的な重大疾患保険システムの別の限定的な特徴は、重大疾患リスク移転の年齢制約により与えられる上記システムの必須境界条件に関連付けられる。伝統的なシステムは、通常、例えば３０日乃至１７歳の年齢にある個人のリスク移転に関連付けられた小児手続きを、及び、例えば１８歳乃至５０歳の間の個人のリスク移転に関連付けられた成人手続きを提供する。上限（ここでは５０年）を超えると、システムは、新しい個人が重大疾患のリスク移転と交換でリソースをプールすることを認めない。いくつかのシステムにおいて、実際のリスクカバーはより長く、例えば最大で６５歳の年齢などである。しかしながら、こうしたケースにおける個人もまた、最初の上限（ここでは５０年）の前に、システムに申請していなければならない。例えばＵＫについて、個人は大抵、カバーについて、最大６５の年齢まで、７５で終了するカバーを申請することができる。したがって、重大疾患リスク移転のための既知のシステムは、必ず、境界要件として年齢条件に制約される。高齢の個人は、もはや、上記システムにより捕捉されることができない。高齢の個人についての重大疾患リスクのリスク移転に特に関連する、最先端システムの別の欠点は、既に上述されている。ヘルスケアにおける、特に、集中治療室（ＩＣＵ）ヘルスケアにおける進化が、より多くの患者が急性重大疾患を生き延びることを可能にしており、しかし慢性的に重症である新しい人口を作り出している。慢性重大疾患を有する患者は、持続性の呼吸器不全、他の臓器の機能障害、並びに、ニューロパチー／ミオパチー、貧血、褥瘡、及び反復性感染を含む合併症を有する。例えば、慢性重大疾患の一クラスが、延ばされた人工呼吸器についての気管切開の場所によって識別され得ることは、想像可能であり得る。これは深刻な状態であり、患者、家族、プロのケア提供者、及びヘルスケアシステムに重い負荷を課している。悲惨な症状が一般的であり、リソース利用及びコストは莫大であり、コミュニティへの復帰はまれであり、６か月の死亡率は大抵の悪性腫瘍についてのこれらを超える。問題のある慢性重大疾患の別のクラスは、認知症に関連付けられる。
【０００７】
認知症は、以前は障害のなかった人間における、通常の年齢から予期され得るものを超える全体的な認知能力の深刻な損失として定義される。認知症は、静的な、固有の全体的な脳傷害の結果であることがあり、あるいは、漸進的な、身体における損害又は病気に起因した長期間の減退をもたらすことであり得る。認知症は、老年人口においてより多く一般的であるが（６５を超える人口の約５％が関与すると言われている）、６５歳の前に生じる可能性があり、その場合、「若年性認知症」と呼ばれる。認知症は、古典的な病気ではないが、典型的に、非特定的な症状のセットによって示される。影響を受ける認知エリアは、記憶、注意力、言語、及び問題解決であり得る。通常、診断を支持するためには、症状が少なくとも６か月間存在しなければならない。より短い存続期間の認知機能障害は、せん妄と呼ばれる。認知症の進行した段階において、対象者は、時間について分別を失い（日、週、又は年さえわからなくなる）、場所について分別を失い（自分がどこにいるかわらかなくなる）、人間について分別を失う（自分と自分の周りの他人とが誰かわからなくなる）可能性がある。認知症は、病気の病因に依存して、可逆的か不可逆的かのいずれかに分類される。認知症は、そのプロセスを経験するシステム（人間）が元のステートに戻されることができる、すなわち、認知症のないステートに治されることができるという意味において、可逆的でないことに留意することが重要である。神経学的リサーチの現状において、認知症は、そのようなものとして、治癒可能でない。しかしながら、臨床症状が認知症を有する人々の被るものに似るか又は密接に似る、特定の状態がある可能性がある。認知症と関連して使用される可逆的とは、上記の状態が可逆的であることを意味する。しかしながら、言及されたとおり、このことは認知症自体には当てはまらず、状態／症状は、大抵の見込みでは、時間と共に悪化することになる。既知の治療法がないことにもかかわらず、いくつかの処置は、潜在的に、プロセスをさらに遅らせる可能性がある。可逆性に関して、認知症のケースの１０％未満が、処置で逆転され得る原因に起因する。認知症の最も一般的形態のいくつかは、アルツハイマー病、血管性認知症、前頭側頭型認知症、意味性認知症、及びレビー小体を伴う認知症である。認知症の既知のタイプのいずれも他に対して保護しないとき、患者は、同時に２つ以上の認知症になるプロセスを提示する可能性がある。認知症を有する人々の約１０％が、混合型認知症として知られるものを有し、上記混合型認知症は、アルツハイマー病と多発梗塞性認知症との組み合わせであり得る。悪性がんのような他の重大疾患に関して、さらに認知症の場合、特に認知症の進行した段階において、患者は、重大疾患について上述されたものと同じ問題に晒される。患者は、医療処置のコスト又は他の関連するコストの増加と、さらに、自身の金融ニーズを全うするのに必要とされるお金を稼ぐ能力の減少とに直面することになる。米国における慢性的に重大な疾患の治療のコスト推定は、すでに２００億ドルを超えており、増加しつつある。したがって、慢性重大疾患について最もリスク移転を必要とする、特に高齢の人々に対して、年齢グループを除き、年齢制約なしに慢性重大疾患に関連するリスク移転の可能性を提供する必要がある。
【０００８】
さらなる問題があり、重大疾患に関連する伝統的なリスク移転システムが、なぜ、重大疾患として認知症に関連した適切なメカニズム、すなわち、年配に関連付けられたリスク移転についてのリソースプーリングシステムを、提供することに失敗しているのかである。言及されたとおり、伝統的な重大疾患システムは、重大疾患の発生によりトリガされる。関連付けられた一時の払い出しの後、被保険者は、リスク移転システムではもはやカバーされない。しかしながら、認知症についてのリスク要因は、年配の患者において重大疾患診断の後、増加する。不幸なことに、入院が、認知症についての後の診断のリスクを増加させる。感染症若しくは深刻な敗血症、せん妄などの神経機能障害、又は急性透析に起因して集中治療室（ＩＣＵ）における処置及び入院を必要とする疾患はすべて、認知症についての後の診断の増加リスクに独立的に関連付けられることを、研究が示している（Ｃ．Ｇｕｅｒｒａらの“Ｒｉｓｋ  ｆａｃｔｏｒｓ  ｆｏｒ  ｄｅｍｅｎｔｉａ  ａｆｔｅｒ  ｃｒｉｔｉｃａｌ  ｉｌｌｎｅｓｓ  ｉｎ  ｅｌｄｅｒｌｙ  ｍｅｄｉｃａｒｅ  ｂｅｎｅｆｉｃｉａｒｉｅｓ”、Ｃｒｉｔｉｃａｌ  Ｃａｒｅ  ２０１２、１６：Ｒ２３３を参照）。重大疾患発生のフォローアップの３年にわたり、集中治療を受けて退院まで生き延びた患者のほぼ１８％において認知症が新たに診断されたことを、上記研究は示している。認知症が事前存在条件のエスカレーションであった可能性がある、認知障害の事前指標を有する患者でさえ、上記研究から除かれたため、該研究の結果は有意である（図８、Ｃ．ＧｕｅｒｒａらのＣｒｉｔｉｃａｌ  Ｃａｒｅ  ２０１２、１６：Ｒ２３３、ｄｏｉ：１０．１１８６/ｃｃ１１９０１、を参照）。上記研究は、統計的に増加する年齢が、ＩＣＵに続く認知症の診断に非常に強く関連付けられることを示している。７５におけるリスクは、６６乃至６９歳のリスクの２倍より大きくなった。そして、このことは、８５歳及びそれより高齢の人について、５倍より大きく上昇した。女性は、男性よりわずかに高いリスクを有した。他の研究が示しているとおり、人種もまたリスクに対して重要であった。ＩＣＵにおける滞在の長さは要因ではなく、人工呼吸の必要性も要因ではなかった（図５／６、Ｃ．ＧｕｅｒｒａらのＣｒｉｔｉｃａｌ  Ｃａｒｅ  ２０１２、１６：Ｒ２３３、を参照）。重大疾患に関連して、認知症の診断の増加リスクに独立的に関連付けられるものとして、３つの要因が識別されることができた（図７、Ｃ．ＧｕｅｒｒａらのＣｒｉｔｉｃａｌ  Ｃａｒｅ  ２０１２、１６：Ｒ２３３、を参照）。感染症の存在する重大疾患は、深刻な敗血症などのより深刻な感染症と共に、無酸素性脳損傷、脳症、及び一過性の精神異常と最終的に透析を必要とする急性腎不全とを含む重大疾患の間に急性神経機能障害を有する、より高いリスクへと増加した。この最後のリスクは時間に依存するものであり、患者が病院から退院した６か月後にのみリスクを増加させた。
【０００９】
したがって、正当な理由があって、高齢の人々は認知症についてしばしば心配する。いくつかのリスクがよく知られており、例えば、アルコール依存症又は脳卒中であるが、さらに、疾患の影響は意義深い。ゆえに、特に年配に対して、慢性的重大疾患についてのリスクをさらにカバーする、自動化されたリソースプーリングシステムを提供することは、最先端において必要性が高い。システムは、各診断の後、複数トリガを有する特定状態の診断の後、単一の発生スキームに基づくように設計可能であるべきである。オプションとして、システムは、認知症の後に重大疾患の発生が続くことを含む、重大疾患の複数発生について、捕捉することができるべきである。伝統的な重大疾患リスク移転システムは、重大な慢性疾患により影響される人々のグループを捕捉することやリスク移転についての十分な方法を提供することができず、このため、公的な社会的ウェルネスサービス及び義務を軽くして社会的苦難を軽減するメカニズムを提供することができない。
【００１０】
上述された相関は、年配のリスクグループについての例示であることが言及される必要がある。年配についての他の相関的な重大疾患が十分に知られている。
【００１１】
例えば、冠動脈バイパスの後の脳卒中について、リスクの相関が比較される（Ｓ．Ｓｔａｍｏｕらの“Ｓｔｒｏｋｅ  Ａｆｔｅｒ  Ｃｏｒｏｎａｒｙ  Ａｒｔｅｒｙ  Ｂｙｐａｓｓ”、Ａｍｅｒｉｃａｎ  Ｈｅａｒｔ  Ａｓｓｏｃｉａｔｉｏｎ、Ｊａｎｕａｒｙ  １８，２００１を参照）。
【発明の概要】
【００１２】
本発明の目的は、重大疾患保険システムによってリスクエクスポージャ構成部分に動的な自給自足のリスク保障を提供することによって年配者に関連付けられた急性又は慢性重大疾患リスクについてリスク共有するシステム及び方法を提供することである。自動化されたリソースプーリングシステムとして実現される、上記重大疾患保険システムは、その技術的手段によって完全に自動化され、自己適応可能／自己維持するものであり、技術的リスク移転原則を提供するものであり、重大疾患リスク（ＣＩ）に関連するリスク移転又はリスク移転のための保険テクノロジーにおけるサービス提供者により使用されることができる。本発明のさらなる目的は、重大疾患リスク移転に関連する保険産業の複雑な関連するオペレーションを技術的に捕捉し、取り扱い、自動化する方法を提供する。別の目的は、上記のオペレーションを、技術的手段に基づいて同期させ、調整することである。標準的なアプローチとは対照的に、リソースプーリングシステムは、技術的手段、処理フロー、及び処理制御／動作に基づいて、所望される、技術的に基づく、繰り返しの精度で、再現可能なオペレーションを作成するものである。さらに、本発明の一目的は、重大疾患の難しい慢性的進行と、さらに、特に年配者のコホートに関連付けられた、複雑な関連する複数のリスクイベントとを、扱うことが可能なリスク及びリソースプーリングシステムを提供することである。
【００１３】
本発明によれば、上記目的は、特に独立項の特徴によって達成される。さらに、従属項及び関連する説明から、更に有利な実施形態が得られる。
【００１４】
本発明によれば、年配者に関連付けられた重大疾患リスクについてリスク共有する、上述された目的は、特に、可変数のリスクエクスポージャ構成部分、すなわち、年配者のコホートに、動的な自給自足のリスク保障を提供することによって、リソースプーリングシステムによって達成される。これにおいて、上記リスクエクスポージャ構成部分は、該リスクエクスポージャ構成部分からのそのリスク及びリソースのプーリングのための支払いを受け取り及び記憶するように構成された複数の支払い受け取りモジュールによって、上記リソースプーリングシステムに接続され、上記リソースプーリングシステムは、上記リスクエクスポージャ構成部分の受け取られ及び記憶された支払いに基づいて特定リスクエクスポージャ構成部分にリスク保障を提供するように患者データフロー経路においてトリガする重大疾患トリガを含むイベント駆動型コアエンジンを含む。上記リソースプーリングシステムは、リスクエクスポージャ構成部分の年齢関連パラメータを捕捉し、所定の年齢閾値によって該所定の年齢閾値より大きい年齢関連パラメータに関連付けられたリスクエクスポージャ構成部分をフィルタする、フィルタモジュールを含む。上記リソースプーリングシステムは、上記患者データフロー経路における認知症、及び／又は心臓発作、及び／又はがん、及び／又は脳卒中、及び／又は冠動脈バイパス手術、アルツハイマー病、及び／又は失明、及び／又は難聴、及び／又は腎不全、及び／又は主要臓器移植、及び／又は多発性硬化、及び／又は輸血により又は手術中にかかったＨＩＶ／ＡＩＤＳ、及び／又はパーキンソン病、及び／又は手足のまひ、及び／又は末期疾患の発生を示す急性及び／又は慢性重大疾患パラメータの所定の検索可能テーブルを含む。上記のプールされたリスクエクスポージャ構成部分の合計リスクが、急性又は慢性重大疾患の診断に関連してリスクエクスポージャに関連付けられる各々のプールされたリスクエクスポージャ構成部分の重大疾患リスク寄与を含み、上記急性又は慢性重大疾患は重大疾患の所定の検索可能テーブルに含まれ、重大疾患損失が、上記の検索可能な重大疾患のうち１つを有するリスクエクスポージャ構成部分の第１の診断に対する結果として発生する。リスクエクスポージャ構成部分の患者データフロー経路における急性又は慢性重大疾患の発生をトリガすることの場合に、対応するトリガフラグが上記リソースプーリングシステムによって設定され、支払いのパラメトリックな移転が、上記対応するトリガフラグに割り当てられ、上記急性又は慢性重大疾患に関連付けられた損失が、それぞれのトリガフラグに基づいて、及び、リスクエクスポージャ構成部分からの上記の受け取られ及び記憶された支払いパラメータに基づいて、上記リソースプーリングシステムから上記リスクエクスポージャ構成部分への上記パラメトリックな移転によって、上記リソースプーリングシステムによって明確にカバーされる。第１のパラメトリックな支払いが、上記急性又は慢性重大疾患の発生をトリガすることによって移転され、第２のパラメトリックな支払いが、急性重大疾患の場合、上記急性重大疾患の急性処置フェーズをトリガすることによって、又は慢性重大疾患の場合、上記慢性重大疾患の第１の処置フェーズをトリガすることによって移転され、第３のパラメトリックな支払いが、急性重大疾患の場合、上記急性重大疾患の末期予後データにリンクされたアフターケアフェーズをトリガすることによって、又は慢性重大疾患の場合、上記慢性重大疾患の進行中ケア又は管理フェーズをトリガすることによって移転される。上記重大疾患トリガは、例えば、上記患者データフロー経路における思い出し、及び／又は推論し、及び／又は知覚し、理解し、表現し、アイデアを実現する能力の永続的な臨床的損失に関連付けられた測定パラメータに基づいて認知症を示す測定パラメータの発生をトリガするトリガを含むことができる。上記重大疾患トリガは、例えば、上記患者データフロー経路におけるアルコール及び／又は薬物中毒を示す測定パラメータをトリガするトリガをさらに含み、アルコール及び／又は薬物中毒を示す測定パラメータをトリガすることに対して、関連するリスクエクスポージャ構成部分は、上記リソースプーリングシステムによって上記リスク及びリソースをプールすることから拒絶される。一実施形態変形として、第１のパラメトリックな支払いが、例えば、悪性がん及び／又は非浸潤性乳管がん（ＤＣＩＳ）のより小さい発症及び／又は早期の前立腺がんの重大疾患を示す測定パラメータの発生をトリガすることによってのみ第１のパラメトリックな支払いが移転されるという点において、技術的に実施され得ることが、提供され得る。さらに、手術、及び／又は化学療法、及び／又は放射線療法、及び／又は再建手術を示す急性処置フェーズパラメータが、コアエンジンによる重大疾患トリガによって患者データフロー経路上でトリガされることができる。一実施形態変形として、上記のプールされたリスクエクスポージャ構成部分の合計リスクが、重大疾患の第１の診断に関連するリスクエクスポージャに関連付けられた各々のプールされたリスクエクスポージャ構成部分の第１のリスク寄与を含み、上記重大疾患は、重大疾患の所定の検索可能テーブルに含まれ、重大疾患損失が、上記の検索可能な重大疾患のうち１つを有するリスクエクスポージャ構成部分の上記第１の診断に対する結果として発生することと、上記のプールされたリスクエクスポージャ構成部分の合計リスクが、第２の及び／又は連続的な重大疾患に関連するリスクエクスポージャに関連付けられた第２の及び／又は連続的なリスク寄与を少なくとも含み、上記重大疾患は、上記所定の検索可能テーブルの重大疾患パラメータに含まれ、重大疾患損失が、上記の検索可能な重大疾患のうち１つを有するリスクエクスポージャ構成部分の上記第２の及び／又は連続的な診断に対する結果として発生することと、リスクエクスポージャ構成部分の上記患者データフロー経路における第１の又は第２の若しくは連続的な重大疾患の発生をトリガすることの場合に、対応するトリガフラグが上記リソースプーリングシステムによって設定され、支払いのパラメトリックドローダウン移転が、上記対応するトリガフラグに割り当てられ、上記第１の又は第２の若しくは連続的な重大疾患に関連付けられた損失が、それぞれのトリガフラグに基づいて、及び、リスクエクスポージャ構成部分からの上記の受け取られ及び記憶された支払いパラメータに基づいて、上記リソースプーリングシステムから上記リスクエクスポージャ構成部分への上記パラメトリックドローダウン移転によって、上記リソースプーリングシステムによって明確にカバーされることと、第１のパラメトリックな支払いが、急性又は慢性重大疾患の発生をトリガすることによって移転され、第２のパラメトリックな支払いが、急性重大疾患の場合、上記急性重大疾患の急性処置フェーズをトリガすることによって、又は慢性重大疾患の場合、上記慢性重大疾患の第１の処置フェーズをトリガすることによって移転され、第３のパラメトリックな支払いが、急性重大疾患の場合、上記急性重大疾患の末期予後データにリンクされたアフターケアフェーズをトリガすることによって、又は慢性重大疾患の場合、上記慢性重大疾患の進行中ケア又は管理フェーズをトリガすることによって移転されることと、が提供される。一実施形態変形として、上記重大疾患トリガは、上記患者データフロー経路における思い出し、及び／又は推論し、及び／又は知覚し、理解し、表現し、アイデアを実現する能力の永続的な臨床的損失に関連付けられた測定パラメータに基づいて認知症を示す測定パラメータの発生をトリガするトリガを含むことが、提供される。上記のトリガする、認知症を示す測定パラメータは、例えば、認知機能についての確認された障害を示す、副腎疲労要因、及び／又は食物及び化学反応要因、及び／又は栄養失調要因、及び／又はストレス要因、及び／又はうつ病要因、又は否認要因に基づいた、身体的パラメータ、及び／又は心理学的パラメータ、及び／又は生化学的パラメータ、及び／又は認知要因を含むことができる。さらに、上記慢性重大疾患の第１の処置フェーズをトリガする上記重大疾患トリガは、例えば、緊急処置を必要とする認知症ステータスにおける悪化の結果としての急性入院患者許可パラメータを含む、上記リスクエクスポージャ構成部分に関連付けられた精神医学的又は高齢入院患者ケアを示す第１の処置フェーズパラメータを含むことができる。最後、上記慢性重大疾患の進行中ケア又は管理フェーズをトリガする上記重大疾患トリガは、例えば、別の人間の継続的な監督を必要とする永続的な認知及び／又は運動障害を示す進行中ケア又は管理フェーズパラメータ、及び／又は、別の人間の一定の監督を必要とする永続的な認知及び／又は運動障害を示す進行中ケア又は管理フェーズパラメータを含むことができる。さらなる一実施形態変形として、上記重大疾患トリガは、例えば、可能性として永続的な認知又は運動障害に関連付けられた測定パラメータに基づいて脳卒中を示し、かつ／あるいは上記患者データフロー経路における急性脳卒中エピソードの時間を示す測定パラメータの発生をトリガするトリガを含むことができる。上記慢性重大疾患の第１の処置フェーズをトリガする上記重大疾患トリガは、例えば、トリガされた脳卒中に起因して入院する上記リスクエクスポージャ構成部分の測定された時間間隔を示す第１の処置フェーズパラメータをさらに含むことができる。さらに、上記慢性重大疾患の進行中ケア又は管理フェーズをトリガする上記重大疾患トリガは、認知機能の永続的な障害、及び／又は、別の人間の継続的な監督を必要とする永続的な認知及び／又は運動障害、及び／又は、別の人間の一定の監督を必要とする永続的な認知及び／又は運動障害、を示す進行中ケア又は管理フェーズパラメータを含む。別の一実施形態変形として、第２のパラメトリックな支払いが、手術、及び／又は化学療法、及び／又は放射線療法、及び／又は再建手術を示す、急性処置フェーズパラメータをトリガすることに起因して移転されることが、提供される。さらに、末期予後データに関連付けられた回復フェーズパラメータが、例えば、コアエンジンの重大疾患トリガによって、患者データフロー経路においてトリガされることができる。さらなる一実施形態変形として、第３のパラメトリックな支払いが、回復フェーズパラメータ及び／又は末期予後パラメータをトリガすることによって移転される。さらなる一変形として、上記リスクエクスポージャ構成部分の患者データフロー経路の重大疾患データが、例えば、自動化されたサポートを上記リスクエクスポージャ構成部分に提供する自動化された従業員支援システム（ＥＡＰ：従業員支援プログラム）にさらに移転されることができる。別法として、又はさらに、上記リスクエクスポージャ構成部分の患者データフロー経路の重大疾患データは、例えば、市民相談局（ＣＡＢ）の警告システムに移転されて、自動化され又は少なくとも半自動化されたＣＡＢアクションをアクティブ化することができる。さらに、有利なことに、上記患者データフロー経路は、例えば、少なくとも周期的に及び／又は所定の時間フレーム若しくは期間内に上記患者データフロー経路の患者測定パラメータを捕捉することによって、上記リソースプーリングシステムによって監視されることがあり得る。最後、上記患者データフロー経路は、関連付けられた測定システムから送信される上記患者データフロー経路の患者測定パラメータをトリガする点において、上記リソースプーリングシステムによって動的に監視されることができる。本発明は、とりわけ、慢性又は急性重大疾患の診断のときの金融的苦難に関連する顧客ニーズに合うように技術的手段をシステムが提供するという利点を有し、これは、処置が進行するにつれ、より厳しくなることになる。したがって、多くの人々が被るがんの恐怖及びその関連する結果が、本発明による自動化されたリソースプーリングシステムに合致されることができる。さらに、システムは、従来の重大疾患システム
におけるよりも小額の支払いで、システムの安全な運用を可能にするのに十分であるという利点を有する。支払いが、がん患者の情報経路上の特定トリガに応答して移転されるので、システムの運用面が、オペレータとカバーされるリスクユニットとに対して透明である。システムは、リスク移転によって確認され又は定義される適合可能な生存期間、例えば、１４、２１、又は２８日を提供することができる。システムは、さらに、ドローダウン支払い動作又は所定の支払い動作に基づく自動化されたシステムの技術的実施を提供することができる。システムは、さらに、種々の引き受けオプション、例えば、（ｉ）質問のセットを伴う引き受け、（ｉｉ）イン／アウト引き受け、（ｉｉｉ）事前存在条件除外（ＰＥＣＥ；Pre-Existing  Condition  Exclusion）の包含又は除外、及び／又はリスク移転の関連付けられた問題を有する関連条件除外など、をサポートすることができる技術的手段を提供することができる。ＰＥＣＥ問題は、従業員において重大疾患の診断が存在する場合、リソースプーリングシステムが、定義された医療状態のうち１つを有すると診断され、又はリストアップされた外科治療のうち１つを受ける従業員（又は、リスク移転に含まれる場合、授業員の配偶者又は子供）に対して一時金の恩恵を提供するために、安全規定を作成する雇用者によってしばしば必要とされるという事実に基づく。しかしながら、個人がリスク移転がアクティブ化される前に、保険に掛けられた状態を被った場合に（これは事前存在条件除外として知られる）、又は、個人が保険に掛けられた疾患下において、請求につながる状態を被ったために、多くのシステムはリスク移転を引き受けることに失敗する。例えば、個人が、リスク移転がアクティブ化される前に高血圧を患い、リスク移転がアクティブ化された後に脳卒中を患ったことが知られていた。システムの別の利点は、支払いがリスク移転ユニット又は消費者／クライアントに直接移転されるという事実に基づく。したがって、システムは、独立ファイナンシャルアドバイザ（ＩＦＡ）による重大疾患保険オファーを拡張することができる。ＩＦＡは、金融的事項に関してクライアントに公平なアドバイスを与え、いかなる金融機関にも雇用されていない人であるが、製品の売り上げに対するコミッションが受け取られ得る。特に、ＩＦＡサービスは、消費者にとって完全にコスト透明的になされる。
【００１５】
一実施形態変形において、可変数のリスクエクスポージャ構成部分の重大疾患リスクについてリスク共有する、上述された目的は、特に、リソースプーリングシステムに基づいた重大疾患保険システムによってリスクエクスポージャ構成部分に動的な自給自足のリスク保障を提供することによって達成される。リスク関連構成部分データが、リソースプーリングシステムのアセンブリモジュールによって処理され、上記リスクエクスポージャの見込みが、リスク関連構成部分データに基づいて、プールされたリスクエクスポージャ構成部分のうち１つ又は複数について、アセンブリモジュールによって提供され、リスクエクスポージャ構成部分は、複数の支払い受け取りモジュールによってリソースプーリングシステムに接続され、支払いデータが、リスクエクスポージャ構成部分から、そのリスクのプーリングのために、支払いデータストアによって受け取られ及び記憶され、リソースプーリングシステムは、リスクエクスポージャ構成部分からの受け取られ及び記憶された支払いに基づいて特定リスクエクスポージャ構成部分にリスク保障を提供するように、イベント駆動型コアエンジンの重大疾患トリガによって患者データフロー経路をトリガする。重大疾患の第１の診断に関連する各々のプールされたリスクエクスポージャ構成部分の第１のリスク寄与が、各々のプールされたリスクエクスポージャ構成部分のリスクエクスポージャに関連付けられ、プールされたリスクエクスポージャ構成部分の合計リスクが、リソースプーリングシステムによって決定され、重大疾患は、重大疾患の所定の検索可能テーブルに含まれ、重大疾患損失が、検索可能な重大疾患のうちいずれか１つに起因するリスクエクスポージャ構成部分の第１の診断の結果として発生する。重大疾患の第２の及び／又は連続的なリスク寄与診断に関連するプールされたリスクエクスポージャ構成部分の各々の第１のリスク寄与が、各々のプールされたリスクエクスポージャ構成部分のリスクエクスポージャに関連付けられ、プールされたリスクエクスポージャ構成部分の合計リスクが、リソースプーリングシステムによって決定され、重大疾患は、重大疾患の検索可能テーブルに含まれ、重大疾患損失が、検索可能な重大疾患のうちいずれか１つに起因するリスクエクスポージャ構成部分の第２の及び／又は連続的な診断の結果として発生する。リスクエクスポージャ構成部分の患者データフロー経路上での第１の又は第２の若しくは連続的な重大疾患の発生がトリガされる場合に、対応するトリガフラグがリソースプーリングシステムによって設定され、支払いのパラメトリックドローダウン移転が、上記対応するトリガフラグに割り当てられ、第１の又は第２の若しくは連続的な重大疾患に関連付けられた損失が、それぞれのトリガフラグに基づいて、及び、リスクエクスポージャ構成部分からの上記の受け取られ及び記憶された支払いパラメータに基づいて、リソースプーリングシステムからリスクエクスポージャ構成部分へのパラメトリックドローダウン移転によって、リソースプーリングシステムによって明確にカバーされる。第１のパラメトリックな支払いが、重大疾患の発生をトリガすることによって移転され、第２のパラメトリックな支払いが、急性処置フェーズをトリガすることによって移転され、第３のパラメトリックな支払いが、末期予後データに関連付けられた回復フェーズをトリガすることによって移転される。上記実施形態変形は、パラメトリックドローダウン支払いをさらに提供するという利点を有する。本システムは、本明細書に説明される３つのトリガレベルより多くを含むように容易に拡張され得ることが、当業者に明らかである。
【００１６】
一実施形態変形において、リスクエクスポージャ構成部分からの、そのリスクのプーリングのための支払いの受け取り及び事前調整された記憶は、上記のプールされたリスクエクスポージャ構成部分のリスクエクスポージャの見込み及び／又は合計リスクに基づいて、動的に決定される。上記実施形態変形は、とりわけ、リソースプーリングシステムの動作が、プールされたリスクの変化する状態、例えば、プールされたリスク構成部分の変化するデモグラフィック状態、変化する年齢分布、又は同様のものなどに、動的に適合され得るという利点を有する。さらなる利点は、システムが異なる環境、場所、又は国において運用されるとき、該システムがマニュアル適合を必要としないことである。なぜならば、リスクエクスポージャ構成部分の支払いのサイズが、合計のプールされたリスクに直接関連するからである。
【００１７】
別の実施形態変形において、プールされるリスクエクスポージャ構成部分の数は、上記リソースプーリングシステムによって、上記リソースプーリングシステムによりカバーされる非共変的な発生リスクが所与の時点における合計のプールされたリスクエクスポージャ構成部分のうち比較的小さい割合にのみ影響する範囲に、動的に適合される。上記変形は、とりわけ、システムの運用及び金融安定性を向上させることができるという利点を有する。
【００１８】
さらなる一実施形態変形において、重大疾患トリガは、診断若しくは処置における向上を示す診断若しくは処置状態及び／又は重大疾患状態の時間相関発生率データに基づいて、動作モジュールによって動的に適合される。上記変形は、とりわけ、診断又は処置における向上がシステムによって動的に捕捉され、プールされたリスクエクスポージャ構成部分の合計リスクに基づいてシステムの全体動作に動的に影響を与えるという利点を有する。
【００１９】
さらに別の実施形態変形において、第１、第２、及び第３のパラメトリックな支払いは、リスク関連構成部分データ、及び／又は、リスク関連構成部分データに基づいた、プールされたリスクエクスポージャ構成部分のうち１つ又は複数についてのリスク構成部分の見込み、に少なくとも基づいて決定される所定の合計支払い総額によってレベル付けされる。移転される第１のパラメトリックな支払いは、上記合計支払い総額のうち最大３０％であり、移転される第２のパラメトリックな支払いは、上記合計支払い総額のうち最大５０％であり、移転される第３のパラメトリックな支払いは、最大で、上記支払い総額から実際の第１のパラメトリックな支払い及び第２のパラメトリックな支払いを引くことによって与えられる残された部分である。所定の合計支払いは、例えば、任意の適切な一時金、例えば、５０，０００ドル乃至５００，０００ドルなど、又は、リスクエクスポージャ構成部分の周期的支払いの量と合計の移転されるリスクとに関連する任意の他の総計にレベルづけされることができる。上記システムの実現の実施形態変形として、重大疾患トリガは、例えば、多次元トリガチャネルを含むことができ、上記トリガフラグの各々は、重大疾患の発生パラメータをトリガする第１のトリガレベルと、急性処置フェーズパラメータをトリガする第２のトリガレベルと、末期予後データに関連付けられた回復フェーズパラメータをトリガする第３のトリガレベルと、を含む第１の次元のトリガチャネルに対して割り当てられる。上記のトリガフラグの各々は、少なくとも第２の又はより高い次元のトリガチャネルに対して割り当てられ、第１の次元のトリガチャネルの第１、第２、及び／又は第３のトリガレベルに基づいてさらなるトリガ段階を含む。さらなる一変形として、重大疾患トリガは、多次元トリガチャネルをさらに含むことができ、上記トリガフラグの各々は、重大疾患の発生パラメータをトリガすることに相対する第１のトリガレベルと、急性処置フェーズパラメータをトリガすることに相対する第２のトリガレベルと、末期予後データに関連付けられた回復フェーズパラメータをトリガすることに相対する第３のトリガレベルと、を含むトリガチャネルの第１の次元に対して割り当てられ、上記トリガフラグの各々は、発生した重大疾患の進行測定パラメータの第１の段階に対してトリガする第１のトリガレベルと、発生した重大疾患の進行測定パラメータのより高い段階に対してトリガする１つ以上のより高いトリガレベルと、を含むトリガチャネルの第２の次元に対して割り当てられる。上記変形は、とりわけ、第１、第２、又は第３のトリガレベル、すなわち、異なる段階のトリガに依存する、所定量のドローダウン支払い又は支払いが、システムによってトリガされるとおり、重大疾患の段階に依存する合計総額のうちの適合させた支払いを可能にするという利点を有する。
【００２０】
一実施形態変形において、複数の支払い受け取りモジュールを介したリスクエクスポージャ構成部分からリソースプーリングシステムへの周期的な支払い移転は、リソースプーリングシステムの監視モジュールによって要求され、リスクエクスポージャ構成部分のためのリスク移転又は保障は、周期的移転が監視モジュールによって検出可能でないとき、監視モジュールによって中断される。一変形として、周期的支払い移転の要求は、重大疾患の指標の発生がリスクエクスポージャ構成部分の患者データフロー経路においてトリガされるとき、管理モジュールによって自動的に中断され、あるいは放棄されることができる。上記実施形態変形は、とりわけ、システムが、監視動作の、特に、プールされたリソースに関するその動作の、さらなる自動化を可能にするという利点を有する。
【００２１】
さらなる一実施形態変形において、リソースプーリングシステムの独立検証重大疾患トリガが、重大疾患トリガによって、リスクエクスポージャ構成部分の患者データフロー経路における重大疾患の指標の発生をトリガすることの場合、アクティブ化される。独立検証重大疾患トリガは、さらに、リスクエクスポージャ構成部分における重大疾患の発生を検証するように、一次患者データフロー経路から独立した測定パラメータを有する代替的な患者データフロー経路における重大疾患に関する指標の発生についてトリガする。一変形として、リスクエクスポージャ構成部分における重大疾患発生が独立検証重大疾患トリガによって検証される場合、支払いのパラメトリックドローダウン移転は、対応するトリガフラグに対してのみ割り当てられる。上記実施形態変形は、とりわけ、システムの運用及び金融安定性をしたがって向上させることができるという利点を有する。さらに、システムは、詐欺及び偽造に対してあまり攻撃されにくく実施される。
【００２２】
上記で説明されたシステム、及び対応する方法に加えて、本発明は、さらに、制御システムが提案される方法を実行するように制御システムの１つ以上のプロセッサを制御するコンピュータプログラムコード手段を含むコンピュータプログラム製品に関する。本発明は、具体的に、プロセッサのためのコンピュータプログラムコード手段を中に含んだコンピュータ可読媒体を含むコンピュータプログラム製品に関する。
【図面の簡単な説明】
【００２３】
本発明は、例として図面を参照してより詳細に説明される。
【図１】本発明による、可変数のリスクエクスポージャ構成部分２１、２２、２３、すなわち年配者に対して動的な自給自足のリスク保障を提供することにより、上記年配者に関連付けられた重大疾患リスクをリスク共有する、リソースプーリングシステム１に基づいた一例示的なパラメトリックなイベント駆動型重大疾患保険システムを概略的に例示するブロック図を示す。リソースプーリングシステム１は、リスク関連構成部分データ２１１、２２１、２３１を処理し、プールされたリスクエクスポージャ構成部分２１、２２、２３についての上記リスクエクスポージャの見込み２１２、２２２、２３２を提供する、アセンブリモジュール５を含む。リスクエクスポージャ構成部分２１、２２、２３は、リスクエクスポージャ構成部分２１、２２、２３からの、そのリスクのプーリングのための支払い２１３、２２４、２３４を受け取り及び記憶する（６）ように構成された複数の支払い受け取りモジュール４によって、リソースプーリングシステム１に接続される。リソースプーリングシステム１は、重大疾患トリガ３１、３２、３３を含むイベント駆動型コアエンジン３を含み、重大疾患トリガ３１、３２、３３は、患者データフロー経路２１３、２２３、２３３をトリガして特定のリスクエクスポージャ構成部分２１、２２、２３にリスク保障を提供する。患者データフロー経路２１３、２２３、２３３は、患者データフロー経路２１３、２２３、２３３の患者測定パラメータが捕捉される点において、リソースプーリングシステム１により監視され、患者データフロー経路２１３、２２３、２３３は、関連付けられた測定システムから送信される患者データフロー経路２１３、２２３、２３３の患者測定パラメータについて動的に監視及びトリガされる。
【図２】リソースプーリングシステムの例示的なトリガ段階を概略的に例示するブロック図を示す。これにおいて、参照番号１００１は、重大疾患、例えば、悪性がんをトリガすることに割り当てられる。参照番号１００２は、処置フェーズ、例えば、手術、化学療法、放射線療法、又は薬の投薬などをトリガすることを指定する。参照番号１００３は、回復フェーズをトリガすること、又は、末期疾患及び／又はアフターケアフェーズをトリガすることを指定する。最後、参照番号１００４は、さらなるサポートサービスをトリガすることを指定する。参照番号１００４は、コアエンジンモジュール３の重大疾患トリガ３１、３２、３３に対するさらなるトリガ段階の一例を与える。
【図３】リスクエクスポージャ構成部分における重大疾患をトリガする場合にリソースプーリングシステム１により提供され得る一例示的な支払いドローダウンを概略的に例示する図を示す。
【図４】リスクエクスポージャ構成部分２１、２２、２３の重大疾患についてのリスクエクスポージャの一例示的なパラメタリゼーションを概略的に例示するブロック図を示す。参照番号５２０は、重大疾患の第１の発生に対する少なくとも１つの第１のリスク寄与５１１、５２１、５３１を含む特定のリスクエクスポージャ構成部分２１、２２、２３の合計の移転されたリスクを与える。さらに、上記は、重大疾患の第２の発生に関連する第２のリスク寄与５１２、５２２、５３２を含む。上記は、さらに、第３のリスク寄与５１３、５２３、５３３とその後の後続のリスク寄与５１ｉ、５２ｉ、５３ｉとを含むことができ、すなわち、ここで“ｉ”はｉ番目のリスク分布を表す。
【図５】３年にわたる年配のＩＣＵ生存者についての、競合リスクとして死亡について調整した、すべての死亡及び認知症の累積発生率（cumulative  incidence）を概略的に例示する図である。破線は、フォローアップの間のすべての死亡の累積発生率である。実線は、競合イベントとして死亡について調整した後の、認知症の累積発生率である。
【図６】５年の年齢カテゴリごとの認知症の累積発生率を概略的に例示する図を示す。認知症の累積発生率は、年齢により、競合イベントとして死亡について調整される。
【図７】（Ａ）感染症又は深刻な敗血症、（Ｂ）急性神経機能障害、（Ｃ）急性腎代替療法により階層化された、認知症の累積発生率を概略的に例示する図を示す。競合イベントとして死亡について調整した後の認知症の累積発生率（Ａ．長い破線は感染症についてであり、短い破線は深刻な敗血症についてであり、実線は感染症なしについてである。Ｂ．破線は神経機能障害についてであり、実線はなしについてである。Ｃ．破線は急性ＲＲＴ（腎代替療法）についてであり、実線はなしについてである）。
【図８】年配について重大疾患として認知症の関連発生についてのリスクを示す最終的コホートをもたらす、認知症が事前存在状態のエスカレーションであった可能性のある、認知障害の事前指標を有する患者の除外を概略的に例示するフローチャートを示す。
【発明を実施するための形態】
【００２４】
図１は、年配者に関連付けられた重大疾患リスク（critical  illness  risks）のリスク共有のためのパラメトリックなイベント駆動型リソースプーリングシステム１の一実施形態についての実施可能アーキテクチャを概略的に例示している。図１において、参照番号１は、リスクエクスポージャ構成部分（risk  exposure  components）２１、２２、２３．．．のリスク共有のためのリソースプーリングシステムを指す。リソースプーリングシステム１は、その手段によって、可変数のリスクエクスポージャ構成部分２１、２２、２３、すなわち、人々又は個人に対して、動的な自給自足のリスク保障（risk  protection）及び対応するリスク保障構造を提供する。システム１は、少なくとも１つのプロセッサと関連付けられたメモリモジュールとを含む。システム１は、１つ以上のディスプレイユニット及び動作要素、例えば、キーボード、及び／又はコンピュータマウスなどのグラフィカルポインティング装置をさらに含んでもよい。リソースプーリングシステム１は、重大疾患リスク（ＣＩ）に関連するリスク移転又はリスク移転についての保険テクノロジーの分野におけるサービス提供者により使用されることができる電子的手段を含む技術的装置である。本発明は、保険業界の複雑な関連する動作を技術的に捕捉し、取り扱い、自動化しようとする。別の一態様は、技術的手段に基づいて上記の動作を同期させ、調整する。標準的なアプローチとは対照的に、リソースプーリングシステムは、該システムが技術的な手段、処理フロー、及び処理制御／動作に完全に基づくため、所望される技術的な、繰り返しの正確さで、再現可能な動作をさらに達成する。
【００２５】
リソースプーリングシステム１はアセンブリ（assembly）モジュール５を含み、アセンブリモジュール５は、リスク関連構成部分データ２１１、２２１、２３１を処理し、リスク関連構成部分データ２１１、２２１、２３１に基づいて、１つ以上のプールされたリスクエクスポージャ構成部分２１、２２、２３等について、上記リスクエクスポージャの見込み（likelihood）２１２、２２２、２３２を提供する。リソースプーリングシステム１は技術的プラットフォームとして実施されることができ、上記技術的プラットフォームが開発され、実施されて、複数の（ただし、少なくとも１つの）支払い受け取りモジュール４を通じた重大疾患リスク移転が提供される。リスクエクスポージャ構成部分２１、２２、２３等は、複数の支払い受け取りモジュール４によってリソースプーリングシステム１に接続され、支払い受け取りモジュール４は、支払いデータストア６におけるリスクのプーリングのために、リスクエクスポージャ構成部分２１、２２、２３からの支払い２１４、２２４、２３４を受け取り、記憶するように構成される。選択された年配者のコホートからの複数のリスクエクスポージャ構成部分２１、２２、２３は、システム１によりプールされることになるリスクエクスポージャ構成部分２１、２２、２３を捕捉する間の場合、リスクエクスポージャ構成部分の年齢関連パラメータが捕捉される。捕捉された年齢関連パラメータに基づいて、リスクエクスポージャ構成部分はフィルタモジュールによってフィルタされ、上記フィルタモジュールによって、所定の年齢閾値より大きい年齢関連パラメータに関連付けられたリスクエクスポージャ構成部分２１、２２、２３のみが、システム１によりプールされることを許容される。所定の年齢閾値は、例えば、５０年に、あるいは、年配者の特定コホートを選択することを可能にする適切な他の年齢に設定されることができる。実施形態の一変形として、選択基準は、ジェンダー、生まれ、習慣、都会又は地方の寄り合い（conglomeration）等などのパラメータをさらに含むことができる。
【００２６】
支払いの記憶は、構成部分固有支払いパラメータを移転及び記憶することによって実施することができる。支払い量は、全体のプールされたリスクエクスポージャ構成部分２１、２２、２３の合計リスクに基づいて、リスクプーリングシステム１によって動的に決定されることができる。リソースをプールすることについて、リソースプーリングシステム１は監視モジュール８を含むことができ、監視モジュール８は、複数の支払い受け取りモジュール２によるリスクエクスポージャ構成部分２１、２２、２３等からリソースプーリングシステム１への周期的な支払い移転を要求する。リスクエクスポージャ構成部分２１、２２、２３のためのリスク保障は、上記周期的な移転がもはや監視モジュール８により検出可能でないとき、監視モジュール８によって中断される。実施形態の一変形において、重大疾患７１、７２、７３の指標の発生１００１がリスクエクスポージャ構成部分２１、２２、２３、．．．の患者データフロー経路においてトリガされた（３１）場合、周期的な支払い移転の要求は、監視モジュール８によって自動的に中断され、あるいは放棄される（waived）。リソースプーリングシステム１は、急性の及び／又は慢性的な重大疾患７１、７２、７３のパラメータについての所定の検索可能テーブル７をさらに含み、上記パラメータは、患者データフロー経路２１３、２２３、２３３における認知症、及び／又は心臓発作、及び／又はがん、及び／又は脳卒中、及び／又は冠動脈バイパス手術、アルツハイマー病、及び／又は失明、及び／又は難聴、及び／又は腎不全、及び／又は主要臓器移植、及び／又は多発性硬化、及び／又は輸血により若しくは手術中にかかったＨＩＶ／ＡＩＤＳ、及び／又はパーキンソン病、及び／又は手足のまひ、及び／又は末期疾患（terminal  illness）、及び／又は他の任意の定義可能及び測定可能な重大疾患についての、発生を示す。トリガ３１、３２、３３は、急性又は慢性重大疾患７１、７２、７３の所定検索可能テーブル７に単方向又は双方向に接続され、トリガすること３１、３２、３３は、所定検索可能テーブル７に記憶された急性及び／又は慢性重大疾患７１、７２、７３のパラメータに基づいて実行される。重大疾患トリガ３１、３２、３３は、患者データフロー経路２１３、２２３、２３３における思い出し、及び／又は推論し、及び／又は知覚し、理解し、表現し、アイデアを実現する能力の永続的な臨床的損失に関連付けられた測定パラメータに基づいて認知症を示す測定パラメータの発生をトリガするトリガ３１を含むことができる。重大疾患トリガ３１、３２、３３は、さらに、患者データフロー経路２１３、２２３、２３３におけるアルコール及び／又は薬物中毒を示す測定パラメータをトリガするトリガ３１を含むことができ、アルコール及び／又は薬物中毒を示す測定パラメータをトリガすることに応じて、関連するリスクエクスポージャ構成部分（２１、２２、２３、．．．）は、リソースプーリングシステム１によってリスク及びリソースをプーリングすることから拒絶される。
【００２７】
図１にも概略的に例示されるとおり、リソースプーリングシステム１は、リスク関連構成部分データを捕捉するデータ記憶モジュールと複数の機能モジュールとを含み、例えば、すなわち、支払い受け取りモジュール４、トリガ３１、３２、３３を有するコアエンジン３、アセンブリモジュール５、又は動作モジュール３０などである。機能モジュールは、少なくとも部分的に、システム１のプロセッサに又は関連付けられた自動化されたシステムに固定的又は取り外し可能に接続されたコンピュータ可読媒体上に記憶される、プログラムされたソフトウェアモジュールとして実施されることができる。しかしながら、機能モジュールがハードウェアコンポーネント、ユニット、及び／又は適切に実施されたモジュールによっても十分に実施され得ることを、当業者は理解する。図１に例示されるとおり、システム１は、ネットワーク、例えば電気通信ネットワークなどを介して、支払い受け取りモジュール４に接続されることができる。ネットワークには、有線又はワイヤレスのネットワークを含むことができ、例えば、インターネット、ＧＳＭ（登録商標）ネットワーク（Ｇｌｏｂａｌ  Ｓｙｓｔｅｍ  ｆｏｒ  Ｍｏｂｉｌｅ  Ｃｏｍｍｕｎｉｃａｔｉｏｎ）、ＵＭＴＳネットワーク（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、及び／又はＷＬＡＮ（ワイヤレスローカル領域ネットワーク）、及び／又は専用ポイントツーポイント通信ラインなどである。いずれの場合も、本システムの技術的な電子的な金銭スキームが、適正な技術的な、組織的及び手続き的な防衛手段を含み、上記防衛手段は、スキームの安全性に対する脅威、具体的に偽造の脅威を防止し、阻止し、検出する。プーリングシステム１は、例えば、電子ネットワークを通じて１つ以上の関連付けられた支払い受け取りモジュール４によって開始される、電子的金銭移転及び関連付けのためのすべての必要な技術的手段をさらに含む。金銭パラメータは、電子的にのみ交換されることができる、例えばｅ通貨（e-currency）、ｅマネー（e-money）、電子キャッシュ、電子通貨、デジタルマネー、デジタルキャッシュ、デジタル通貨、又はサイバー通貨等などの、すべてのあり得る電子的な及び移転可能な手段に基づくことができる。支払いデータストア６は、プールされたリスクエクスポージャ構成部分２１、２２、２３のうちのただ１つに関連付けられた金銭パラメータを関連付け及び記憶する手段を提供する。本発明は、例えばコンピュータネットワーク又は電気通信ネットワークなどの言及されたネットワーク、及び／又は、インターネットの及びデジタルのストアド・バリュー・システム（stored  value  systems）の使用を含むことができる。電子的資金移転（Electronic  funds  transfer；ＥＦＴ）、直接の預金、デジタル金貨、及び仮想通貨が、電子マネーのさらなる例である。さらに、上記移転は、金融暗号法及び該金融暗号法を可能にするテクノロジーなどの、テクノロジーを含むことができる。金銭パラメータの取引について、ハード電子通貨（hard  electronic  currency）が、チャージに異議を唱えること又はチャージを逆転することの技術的可能性なしに使用されることが好ましい。リソースプーリングシステム１��、例えば、不可逆的取引をサポートする。この配置の利点は、電子通貨システムの動作コストが、支払い紛争を解決する必要がないことにより、大きく低減されることである。しかしながら、この方法において、電子通貨取引が直ちに清算されることがさらに可能であり、資金がシステム１にとって即座に利用可能にされる。このことは、ハード電子通貨を使用することが現金取引により似ていることを意味する。しかしながら、さらに思いつくことは、例えば、７２時間の「清算時間」を有するなどする、支払いの逆転を許容する通貨などの、ソフト電子通貨（soft  electronic  currency）の使用である。電子的金銭パラメータ交換の方法は、本発明のリソースプーリングシステム１に関連するすべての接続されたシステム及びモジュール、例えば支払い受け取りモジュール４などに適用される。リソースプーリングシステム１に対する金銭パラメータ移転は、支払い受け取りモジュール４によって、又はリソースプーリングシステム１の要求に基づいて開始されることができる。
【００２８】
リソースプーリングシステム１はイベント駆動型コアエンジン３を含み、イベント駆動型コアエンジン３は、割り当てられたリスクエクスポージャ構成部分２１、２２、２３、．．．の患者データフロー経路２１３、２２３、２３３における構成部分固有測定パラメータをトリガする重大疾患トリガ３１、３２、３３を含む。患者データフロー経路２１３、２２３、２３３は、例えば、リソースプーリングシステム１によって監視されることができ、少なくとも周期的に、及び／又は所定の時間期間内に、患者データフロー経路２１３、２２３、２３３の患者関連測定パラメータが捕捉される。患者データフロー経路２１３、２２３、２３３は、例えば、関連付けられた測定システムから送信される患者データフロー経路２１３、２２３、２３３の患者測定パラメータをトリガすることによって、リソースプーリングシステム１により動的にさらに監視されることができる。関心のあるリスクエクスポージャ構成部分２１、２２、２３、．．．の動的に記録された測定パラメータを含む、患者データフロー経路２１３、２２３、２４４をトリガして、システム１は、重大疾患の発生を検出し、重大疾患の進行の間の異なる段階を動的に監視して、適切に適合され及び等級づけされた（gradated）リスク保障を特定のリスクエクスポージャ構成部分２１、２２、２３、．．．に提供することができる。こうしたリスク保障構造は、関連するリスクエクスポージャ構成部分２１、２２、２３、．．．からの受信され及び記憶される支払い２１４、２２４、２３４に基づき、及び／又は、すべてのプールされたリスクエクスポージャ構成部分２１、２２、２３、．．．についての全体で移転される重大疾患リスクに基づいたリソースプーリングシステム１の合計リスクに関連する。
【００２９】
図２は、あり得るトリガ段階を備えたブロック図を示している。これにおいて、参照番号１００１は、重大疾患、例えばがんをトリガすることに割り当てられる。参照番号１００２は、処置フェーズ、例えば、手術、化学療法、放射線療法、又は薬の投薬などをトリガすることを指定する。参照番号１００３は、回復フェーズをトリガすること、又は、末期疾患及び／又はアフターケアフェーズをトリガすることを指定する。参照番号１００４は、さらなるサポートサービスをトリガすることを指定する。参照番号１００４は、コアエンジンモジュール３の重大疾患トリガ３１、３２、３３に対するさらなるトリガ段階の一例を与える。重大疾患トリガ３１、３２、３３は、例えば、患者データフロー経路２１３、２２３、２３３における心臓発作、及び／又はがん、及び／又は脳卒中、及び／又は冠動脈バイパス手術を示す測定パラメータの発生１００１をトリガするためのトリガ３１を含むことができる。さらに、重大疾患トリガ３１、３２、３３は、患者データフロー経路２１３、２２３、２３３におけるアルツハイマー病、認知症、失明、難聴、腎不全、主要臓器移植、多発性硬化、輸血により若しくは手術中にかかったＨＩＶ／ＡＩＤＳ、パーキンソン病、手足のまひ、末期疾患を示す測定パラメータの発生１００１をトリガするためのトリガ３１を含んでもよい。重大疾患の発生のケースの大半は、典型的に、予期され得るとおり、心臓発作、脳卒中、及びがんに関連付けられる。重大疾患が患者データフロー経路２１３、２２３、２３３において検出され得る個人２１、２２、２３の平均年齢は、±４１年である。しかしながら、このことは、診断及び他の医療手段の開発に依存する。こうした統計は、統計が維持されるすべての国に対して一般的である。しかしながら、増加する重大疾患発生の数を、具体的にはがんのケースに関して観察することが、大きな関心事である。大抵の国において、この観察される増加は５０％を超え、いくつかの国においては８０％さえ超える。より良い診断機器に起因する早期の診断は、上記の数値について部分的に責任を負い得る。したがって、リソースプーリングシステム１のふさわしい動作を保証するために、トリガテーブル７内の重大疾患についての記憶されたトリガパラメータ７１、７２、７３の定義は、リスクエクスポージャ構成部分２１、２２、２３における変化するリスクの監視に基づいて、動的に適合されることができる。具体的に、トリガパラメータ７１、７２、７３は、地域固有、国固有、及び／又は合計のプールされたリスクに固有であることができ、適合され、あるいは変更されることができる。より良い処置又は他の変更された環境条件のため、新しい重大疾患７１、７２、７３が追加されることができ、同時に、他のものがリソースプーリングシステムによって重大疾患のトリガ可能リストから削除されることができる。実施形態の一変形において、重大疾患トリガ３１、３２、３３は、診断若しくは処置における向上を示す診断若しくは処置状態及び／又は重大疾患状態の時間相関発生率（time-correlated  incidence）デートに基づいて、動作モジュール３０によって動的に適合されることができる。
【００３０】
トリガ３１、３２、３３の適合に加えて、それに応じて、リスクエクスポージャ構成部分２１、２２、２３からの要求される支払いの量がリソースプーリングシステム１によって調整されることができる。したがって、リスクエクスポージャ構成部分２１、２２、２３、．．．のリスクをプールするための、上記リスクエクスポージャ構成部分からの支払い２１４、２２４、２３４の受け取り及び事前調整された（preconditioned）記憶６は、合計リスク５０、及び／又はプールされたリスクエクスポージャ構成部分２１、２２、２３、．．．のリスクエクスポージャの見込みに基づいて、動的に決定されることができる。リソースプーリングシステム１の動作的及び機能的安全性をさらにいっそう向上させるために、プールされたリスクエクスポージャ構成部分２１、２２、２３、．．．の数は、リソースプーリングシステム１によって、リソースプーリングシステム１によりカバーされる非共変的な（non-covariant）発生リスクが所与の時点における合計のプールされたリスクエクスポージャ構成部分２１、２２、２３、．．．のうち比較的小さい割合にのみ影響する範囲に、動的に適合されることができる。
【００３１】
プールされたリスクエクスポージャ構成部分２１、２２、２３、．．．の合計リスク５０は、該合計リスク５０が重大疾患の第１の診断に関連するリスクエクスポージャに関連付けられた各々のプールされたリスクエクスポージャ構成部分２１、２２、２３、．．．の第１のリスク寄与（risk  contribution）５１１、５２１、５３１を含むことができるとき、いくつかのリスク寄与を含むことができる。カバーされる重大疾患についてのトリガパラメータ７１、７２、７３は、重大疾患７１、７２、７３についての所定の検索可能テーブル７、例えば、適切に構造化されたハッシュテーブルなどの中に、それぞれ、重大疾患パラメータ７１、７２、７３を含まれ、記憶される。重大疾患損失は、検索可能な重大疾患のうち１つに関して、リスクエクスポージャ構成部分２１、２２、２３、．．．の第１の診断に対する結果として発生する。すなわち、リスクエクスポージャ構成部分２１、２２、２３、．．．がリソースプーリングシステム１のプールされたリソースによりカバーされる必要の可能性が、複雑な利用処置及び取り扱いを必要とする重大疾患の発生のリスクにリンクされる。プールされたリスクエクスポージャ構成部分２１、２２、２３、．．．の合計リスク５０は、さらに、第２のリスク寄与５１２、５２２、５２３、及び／又は第３の若しくはさらなる連続的なリスク寄与５１３／５２１／．．．５１ｉ／５２ｉ／５３ｉを、すなわち、第２の及び／又は連続的な（１つ以上の）重大疾患に関連してリスクエクスポージャに関連付けられた、最大でｉ番目のリスク寄与を、含むことができる。第２のリスク寄与５１２、５２２、５２３、及び／又は第３の若しくはさらなる連続的なリスク寄与５１３／５２１／．．．５１ｉ／５２ｉ／５３ｉをトリガする重大疾患７１、７２、７３は、第１のリスク寄与についてと同一であり、重大疾患パラメータ７１、７２、７３の所定検索可能テーブル７に含まれる。しかしながら、一次実施形態変形において、合計リスク寄与は、急性及び／又は慢性重大疾患の発生の単一のトリガリングにのみ基づく。すなわち、一次スキームは、各診断の後に複数のトリガが存在する場合、特定状態の診断の後の単一発生スキームであるように設計され、システムが慢性重大疾患を取り扱うことを可能にする。
【００３２】
図４は、リスクエクスポージャ構成部分２１、２２、２３の重大疾患についてのリスクエクスポージャの一例示的なパラメタリゼーション（parameterization）を有するブロック図を示す。参照番号５２０は、特定のリスクエクスポージャ構成部分２１、２２、２３の、合計の移転されたリスクを与え、重大疾患の第１の発生についての第１のリスク寄与５１１、５２１、５３１を少なくとも含む。さらに含まれるのは、重大疾患の第２の発生に関連する第２のリスク寄与５１２、５２２、５３２である。さらに含まれ得るのは、第３の５１３、５２３、５３３リスク構成部分と、後続の５１ｉ、５２ｉ、５３ｉリスク構成部分であり、すなわち、“ｉ”はｉ番目のリスク分布を表す。
【００３３】
リスクエクスポージャ構成部分２１、２２、２３の患者データフロー経路上で第１の（又は、複数発生を取り扱う場合、第２の又は連続的な）重大疾患７１、７２、７３の発生をトリガする場合、すなわち、第１の又は第２の若しくは連続的な重大疾患７１、７２、７３の発生をトリガすることが患者データフロー経路２１３、２２３、２３３において発効される場合、対応するトリガフラグがリソースプーリングシステム１によって設定され、支払いについてのパラメトリックなドローダウン又は所定の移転（parametric  draw-down  or  predefined  transfer）が、上記対応するトリガフラグに割り当てられる。第１の又は第２の若しくは連続的な重大疾患７１、７２、７３に関連付けられた損失が、それぞれのトリガフラグに基づいて及びリスクエクスポージャ構成部分２１、２２、２３からの受け取られ及び記憶された支払いパラメータ２１４、２２４、２３４に基づいて、リソースプーリングシステム１からリスクエクスポージャ構成部分２１、２２、２３等へのパラメトリックなドローダウン又は所定の移転によって、リソースプーリングシステム１によって明確にカバーされる。支払い受け取りモジュール４は、入力装置として、１つ以上のデータ処理ユニット、ディスプレイ、及び他の動作要素、例えば、キーボード及び／又はコンピュータマウス若しくは別のポインティングデバイスなどを含み得る。これまで言及されたとおり、リスクエクスポージャ構成部分２１、２２、２３に関する支払いの受け取り動作は、支払いデータストア６の中の記憶された構成部分固有支払いパラメータに基づいて監視される。リソースプーリングシステム１の種々のコンポーネントが、例えば、支払い受け取りモジュール４がコアエンジン３及びアセンブリモジュール５と、信号送信のためにネットワークを介して接続されることができる。ネットワークは、例えば、電気通信ネットワークを含むことができ、例えば、有線又はワイヤレスのネットワーク、例えば、インターネット、ＧＳＭ（登録商標）ネットワーク（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＵＭＴＳネットワーク（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、及び／又はＷＬＡＮ（ワイヤレスローカルエリアネットワーク）、公衆交換電話網（ＰＳＴＮ）、及び／又は専用ポイントツーポイント通信ラインなどである。支払い受け取りモジュール４、及び／又はコアエンジン３及びアセンブリモジュール５は、伝送標準又はプロトコルを固守する電気通信ネットワークに接続する複数のインターフェースをさらに含むことができる。一実施形態変形として、支払い受け取りモジュール４は、リソースプーリングシステム１に対して外部の装置としてさらに実施されることができ、リソースプーリングシステム１は、信号送信のネットワークを介して、例えば、セキュアにされたデータ送信ラインによって、リスク移転サービスを提供する。
【００３４】
第１のパラメトリックな支払い２１１は、コアエンジン３の重大疾患トリガ３１によって重大疾患７１、７２、７３の発生１００１をトリガすることによって、ゆえに、関連する患者データフロー経路２１３、２２３、２３３における特定のリスクエクスポージャ構成部分２１、２２、２３の測定パラメータをトリガすることによって、移転される。第１、第２、及び第３のパラメトリックな支払いは、表１乃至表５（下記を参照）による例において、「ユニット」において表される。上記ユニットの量（表１乃至表５）は、単に例であり、移転されたリスクの存続期間又は任意の他の定義された時間フレームについて、システム１の固定実行パラメータとして設定されるか、あるいは、例えば医療又は療法コストなどの可能性として変化する環境境界条件に基づいて、又はシステム１による合計のプールされたリソースに基づいて、動的に適合させられることができる。環境境界条件の変化は、システム１によって動的にトリガされ、あるいは捕捉されることができる。１つの「ユニット」は、特定の通貨（例えば、ユーロ、ドル、スイスフラン）における同等物に対応するように割り当てられる。コアエンジン３は、リソースプーリングシステム１及びシステムの他のコンポーネントと類似して、下層の電子コンポーネント、ステアリングコード、及び相互作用するインターフェース装置、例えば、適切な信号生成モジュール、又は異なるモジュール、装置、又は同様のもの間で適切な信号生成モジュールによって電子的に相互作用する他のモジュールなどに基づいて、実施される。例えば、第１のパラメトリックな支払いは、悪性がん及び／又は非浸潤性乳管がん（ＤＣＩＳ）のより小さい発症（incidence）及び／又は早期の前立腺がんの重大疾患７１、７２、７３を示す測定パラメータの発生１００１をトリガすること３１によって、移転されることができる。認知症の場合、重大疾患トリガ３１、３２、３３は、患者データフロー経路２１３、２２３、２３３における思い出し、及び／又は推論し、及び／又は知覚し、理解し、表現し、アイデアを実現する能力の永続的な臨床的損失に関連付けられた測定パラメータに基づいて、認知症を示す測定パラメータの発生をトリガするトリガ３１を含むことができる。上記のトリガする、認知症を示す測定パラメータは、認知機能についての確認された障害を示す、副腎疲労要因（adrenal  exhaustion  factors）、及び／又は食物及び化学反応要因、及び／又は栄養失調要因、及び／又はストレス要因、及び／又はうつ病要因、又は否認要因に基づいた、身体的パラメータ、及び／又は心理学的パラメータ、及び／又は生化学的パラメータ、及び／又は認知要因をさらに含むことができる。脳卒中の場合、重大疾患トリガ３１、３２、３３は、可能性として永続的な認知又は運動障害に関連付けられた測定パラメータに基づいて脳卒中を示し、かつ／あるいは患者データフロー経路２１３、２２３、２３３における急性脳卒中エピソードの時間を示す測定パラメータの発生をトリガするトリガ３１を含むことができる。
【００３５】
第２のパラメトリックな支払い２１２は、コアエンジン３の重大疾患トリガ３２によって、急性の又は第１の処置フェーズ１００２の開始を示す患者データフロー経路２１３、２２３、２３３における測定パラメータをトリガすることによって、移転される。このことは、急性重大疾患７１、７２、７３の場合、急性重大疾患７１、７２、７３の急性処置フェーズ１００２をトリガすること３２によって、あるいは慢性重大疾患７１、７２、７３の場合、慢性重大疾患７１、７２、７３の第１の処置フェーズ１００２をトリガすること３２によって、達成される。例えば、手術、及び／又は化学療法、及び／又は放射線療法、及び／又は再建手術を示す急性の又は第１の処置フェーズパラメータ１００２が、コアエンジン３の重大疾患トリガ３２によって、患者データフロー経路２１３、２２３、２３３においてトリガされることができる。例えば、第２のパラメトリックな支払いは、手術、及び／又は化学療法、及び／又は放射線療法、及び／又は再建手術を示す、急性の又は第１の処置フェーズをトリガすること３２によってのみ移転されることができる。認知症の例において、慢性重大疾患７１、７２、７３の第１の処置フェーズ１００２をトリガする（３２）重大疾患トリガは、緊急処置を必要とする認知症ステータスにおける悪化の結果としての急性入院患者許可パラメータを含む、リスクエクスポージャ構成部分２１、２２、２３、．．．に関連付けられた精神医学的又は高齢入院患者ケアを示す第１の処置フェーズパラメータ１００２を含むことができる。脳卒中の例において、慢性重大疾患７１、７２、７３の第１の処置フェーズ１００２をトリガする（３２）重大疾患トリガは、トリガされた脳卒中に起因して入院するリスクエクスポージャ構成部分２１、２２、２３、．．．についての測定された時間間隔を示す第１の処置フェーズパラメータ１００２を含むことができる。
【００３６】
最後、第３のパラメトリックな支払い２１３は、急性重大疾患７１、７２、７３の場合、急性重大疾患７１、７２、７３の末期予後データ（terminal  prognosis  data）にリンクされたアフターケアフェーズ１００３をトリガすること３３によって、移転される。慢性重大疾患７１、７２、７３の場合、第３のパラメトリックな支払い２１３は、慢性重大疾患７１、７２、７３の進行中のケア又は管理フェーズをトリガすること３３によって、移転される。すなわち、第３のパラメトリックな支払い２１３は、急性重大疾患の場合、コアエンジン３による重大疾患トリガ３３によって、末期予後データにリンクされた回復フェーズ１００３の開始を示す患者データフロー経路２１３、２２３、２３３における測定パラメータをトリガすることによって、及び、慢性重大疾患の場合、類似して、移転される。例えば、末期予後データにリンクされ又は関連付けられた回復フェーズパラメータ１００３は、コアエンジン３による重大疾患トリガ３３によって患者データフロー経路２１３、２２３、２３３においてトリガされる。一変形として、第３のパラメトリックな支払いは、回復フェーズパラメータ、及び／又は末期予後パラメータ１００３、及び／又は進行中ケア又は管理フェーズをトリガすること３３によってのみ移転可能である。認知症の場合、慢性重大疾患７１、７２、７３の進行中ケア又は管理フェーズをトリガする重大疾患トリガ３１、３２、３３は、別の人間の継続的な監督を必要とする永続的な認知及び／又は運動障害を示す進行中ケア又は管理フェーズパラメータ、及び／又は、別の人間の一定の監督を必要とする永続的な認知及び／又は運動障害を示す進行中ケア又は管理フェーズパラメータを含むことができる。脳卒中の場合、慢性重大疾患７１、７２、７３の進行中ケア又は管理フェーズをトリガする重大疾患トリガ３１、３２、３３は、認知機能の永続的な障害、及び／又は、別の人間の継続的な監督を必要とする永続的な認知及び／又は運動障害、及び／又は、別の人間の一定の監督を必要とする永続的な認知及び／又は運動障害、を示す進行中のケア又は管理フェーズパラメータを含むことができる。
【００３７】
したがって、１００１をトリガすることが効果を生じる場合、リスクエクスポージャ構成部分２１、２２、２３の患者データフロー経路２１３、２２３、２３３における第１の重大疾患７１、７２、７３の発生、いかなる関連付けられる損失も、リスクエクスポージャ構成部分２１、２２、２３からの受け取られ及び記憶された支払い２１４、２２４、２３４に基づいて、パラメトリックな診断支払い２００１をリソースプーリングシステム１からリスクエクスポージャ構成部分２１、２２、２３等に移転することによって、リソースプーリングシステム１によってカバーされる。１００２をトリガすることが効果を生じる場合、関連付けられる損失の患者データフロー経路２１３、２２３、２３３における急性の処置フェーズ又は第１の処置フェーズの発生は、リスクエクスポージャ構成部分２１、２２、２３からの受け取られ及び記憶された支払い２１４、２２４、２３４に基づいて、パラメトリックな処置フェーズ支払い２００２をリソースプーリングシステム１からリスクエクスポージャ構成部分２１、２２、２３等に移転することによって、リソースプーリングシステム１によってカバーされる。１００３をトリガすることが効果を生じる場合、患者データフロー経路における慢性重大疾患の場合に末期予後データ又は進行中のケア若しくは管理フェーズにリンクされた回復フェーズの発生、及び関連付けられる損失は、リスクエクスポージャ構成部分２１、２２、２３からの受け取られ及び記憶された支払い２１４、２２４、２３４に基づいて、パラメトリックな回復フェーズ支払い２００３又は進行中のケア若しくは管理フェーズ支払い２００３をリソースプーリングシステム１からリスクエクスポージャ構成部分２１、２２、２３等に移転することによって、リソースプーリングシステム１によってカバーされる。第１、第２、及び第３のパラメトリックな支払いは、例えば、リスク関連構成部分データ２１１、２２１、２３１、及び／又は、リスク関連構成部分データ２１１、２２１、２３１に基づいた、プールされたリスクエクスポージャ構成部分２１、２２、２３等のうち１つ又は複数についてのリスク構成部分の見込み、に少なくとも基づいて決定される所定の合計支払い総額によってレベル付けされる（leveled）ことができる。上記において、第１のパラメトリックな支払いは、上記合計支払い総額のうち最大３０％を移転され、第２のパラメトリックな支払いは、上記合計支払い総額のうち最大５０％を移転され、第３のパラメトリックな支払いは、最大で、上記支払い総額マイナス実際の第１のパラメトリックな支払い及び第２のパラメトリックな支払いによって与えられる残余部分を移転される。上記の一例示的な支払いドローダウンが、リスクエクスポージャ構成部分において重大疾患をトリガするイベントにおいてリソースプーリングシステム１によって提供されることが可能であり、図３の図に示されている。
【００３８】
言及されたとおり、トリガ３１、３２、３３は、急性の又は慢性的な重大疾患７１、７２、７３の所定の検索可能テーブル７に単方向又は双方向に接続され、トリガすること３１、３２、３３は、所定の検索可能テーブル７に記憶された急性の又は慢性的な重大疾患７１、７２、７３パラメータに基づいて実行される。所定の検索可能テーブル７は、例えば多次元ハッシュテーブルとして、多次元的に構造化される。多次元テーブルの中の選択可能な、各々の急性又は慢性重大疾患７１、７２、７３は、該急性又は慢性重大疾患７１、７２、７３に対して、リソースプーリングシステム１によって実行されるべきトリガステップに従ってトリガ可能な測定パラメータ、すなわち、トリガ３１、及び／又はトリガ３２、及び／又はトリガ３３を割り当てられている。所定の検索可能テーブル７のトリガ３１、３２、３３についての記憶されたトリガパラメータは、例えば、下記のトリガ依存性を含むことができる。さらに、一実施形態変形として、所定の検索可能テーブル７は、第１、第２、及び／又は第３のパラメトリックな支払いについての、対応するトリガ３１、３２、３３に割り当てられた、所定量をさらに含むことができる。上記量は、リスクに晒される構成部分と契約された時間期間に対して、固定されることができる。しかしながら、好適な一実施形態変形において、リソースプーリングシステム１によるプールされたリソースからの移転可能なパラメトリック支払いは、例えば、プールされたリソースに基づいて、あるいは動的にチェックされた変化する医療条件又はシステム１に対する他の境界条件に基づいて、それぞれ、関連付けられ及び移転されるリスクに対して、システム１によって動的に適合可能である。
【表１】
2018198098.tif 000003
表１は、がん測定パラメータに関連して患者データ経路において測定される、検索可能テーブル７に記憶されたトリガパラメータである。表１からわかるとおり、上記の例において、トリガ３１下における最大の移転可能ユニットは１２０００ユニットであり、トリガ３２下においては２５０００ユニットであり、トリガ３３下においては１３０００ユニットである。
【表２】
2018198098.tif 000004
表２は、冠動脈疾患測定パラメータ（心臓発作を含む）に関連して患者データ経路において測定される、検索可能テーブル７に記憶されたトリガパラメータである。表２からわかるとおり、上記の例において、トリガ３１下における最大の移転可能ユニットは１００００ユニットであり、トリガ３２下においては２５０００ユニットであり、トリガ３３下においては１５０００ユニットである。
【表３】
2018198098.tif 000005
表３は、脳卒中測定パラメータに関連して患者データ経路において測定される、検索可能テーブル７に記憶されたトリガパラメータである。表３からわかるとおり、上記の例において、トリガ３１下における最大の移転可能ユニットは１００００ユニットであり、トリガ３２下においては１００００ユニットであり、トリガ３３下においては３００００ユニットである。
【表４】
2018198098.tif 000006
表４は、認知症測定パラメータに関連して患者データ経路において測定される、検索可能テーブル７に記憶されたトリガパラメータである。表４からわかるとおり、上記の例において、トリガ３１下における最大の移転可能ユニットは１００００ユニットであり、トリガ３２下においては１００００ユニットであり、トリガ３３下においては３００００ユニットである。悪化は、ＭＭＳＥスコア（ミニメンタルステータス検査（Mini-Mental-Status-Examination）、又は、ミニメンタルステータステスト（Mini-Mental-Status-Test））において測定されることができる。平均として、処置を受けていないアルツハイマー病の人は、各年、２乃至４のＭＭＳＥポイントを失う。http://www.alzheimers.org.uk/site/scripts/documents_info.php?documentID=121  を参照。
【表５】
2018198098.tif 000007
表５は、股関節骨折測定パラメータに関連して患者データ経路において測定される、検索可能テーブル７に記憶されたトリガパラメータである。表５からわかるとおり、上記の例において、トリガ３１下における最大の移転可能ユニットは１００００ユニットであり、トリガ３２及び３３下においては、システム１によって移転されるユニットはない。表５は、すべてのトリガが使用されるのではない場合の一例であり、すなわち、トリガ３１は、患者データ経路における股関節骨折パラメータをトリガした後、最初かつ最後のトリガである（進行中トリガ３２及び／又は３３はない）。股関節骨折の例において、年齢５０以上（50+）を有するリスクエクスポージャの人々は、２５％が１２／１２以内に死亡する（〜  25%  die  within  12/12）。
【００３９】
さらなる技術的な一変形として、重大疾患トリガ３１、３２、３３は、多次元的な（multi-dimensional）トリガチャネルを含む。上記のトリガフラグの各々は、急性又は慢性重大疾患７１、７２、７３の発生パラメータ１００１に対してトリガする（３１）第１のトリガレベルと、急性の又は第１の処置フェーズパラメータ１００２に対してトリガする（３２）第２のトリガレベルと、末期予後データに対してリンクされ又は関連付けられた回復フェーズ又は進行中ケア／管理パラメータ１００３に対してトリガする（３３）第３のトリガレベルと、を含む第１の次元の（first  dimension）トリガチャネルに対して割り当てられる。上記のトリガフラグの各々は、少なくとも第２の又はより高い次元のトリガチャネルに対して割り当てられ、第１の次元のトリガチャネルの第１、第２、及び／又は第３のトリガレベルに基づいてさらなるトリガ段階を含む。重大疾患トリガ３１、３２、３３は、例えば、多次元的トリガチャネルを含むことができ、これにおいて、上記のトリガフラグの各々は、重大疾患７１、７２、７３の発生パラメータ１００１に対してトリガする（３１）第１のトリガレベルと、急性の処置フェーズパラメータ１００２に対してトリガする（３２）第２のトリガレベルと、末期予後データにリンクされた回復フェーズパラメータ１００３に対してトリガする（３３）第３のトリガレベルと、を含むトリガチャネルの第１の次元に対して割り当てられ、上記のトリガフラグの各々は、重大疾患７１、７２、７３に関する発生１００１の進行測定パラメータ（progression-measuring  parameters）の第１の段階に対してトリガする（３１）第１のトリガレベルと、発生した重大疾患７１、７２、７３の進行測定パラメータのより高い段階においてトリガする（３２、３３、．．．）１つ以上のより高いトリガレベルと、を含むトリガチャネルの第２の次元に対して割り当てられる。
【００４０】
さらに、リソースプーリングシステム１は、自動化されたサポートをリスクエクスポージャ構成部分２１、２２、２３等に提供する自動化された従業員支援システム（ＥＡＰ：従業員支援プログラム（Employee  Assistance  Program））に対して重大疾患７１、７２、７３の発生をトリガした後、関連するリスクエクスポージャ構成部分２１、２２、２３等の患者データフロー経路２１３、２２３、２３３における重大疾患データを該システム１が移転するように、実現されることができる。類似して、コアエンジン３により重大疾患トリガ３１によって急性又は慢性重大疾患７１、７２、７３の発生をトリガすることによって、関連するリスクエクスポージャ構成部分２１、２２、２３等の患者データフロー経路２１３、２２３、２４４における重大疾患データが市民相談局（ＣＡＢ；Citizens  Advice  Bureau）の警告システムに移転されて、自動化され又は少なくとも半自動化されたＣＡＢアクションをアクティブ化することができる。
【００４１】
最後、さらなる具体的な一実施形態変形において、リソースプーリングシステム１の独立検証重大疾患トリガが、重大疾患トリガ３１によって、リスクエクスポージャ構成部分２１、２２、２３等の患者データフロー経路２１３、２２３、２４４における重大疾患７１、７２、７３の指標の発生１００１をトリガするイベントにおいてアクティブ化されることができ、独立検証重大疾患トリガは、さらに、発生１００１に関連して、一次（primary）患者データフロー経路２１３、２２３、２３３から独立した測定パラメータを有する代替的な患者データフロー経路２１５、２２５、２３５における重大疾患７１、７２、７３の指標をトリガして、リスクエクスポージャ構成部分２１、２２、２３等における重大疾患７１、７２、７３の発生１００１を検証する。一変形として、リスクエクスポージャ構成部分２１、２２、２３等における重大疾患７１、７２、７３の発生１００１が、独立検証重大疾患トリガによって検証される場合、支払いについてのパラメトリックなドローダウン又は所定の移転は、対応するトリガフラグに対してのみ割り当てられる。
【符号の説明】
【００４２】
１  リソースプーリングシステム／重大疾患保険システム
２１、２２、２３  リスクエクスポージャ構成部分
２１１、２２１、２３１  リスク関連構成部分データ
２１２、２２２、２３２  プールされたリスクエクスポージャ構成部分のリスクエクスポージャの見込み
２１３、２２３、２３３  患者データフロー経路
２１４、２２４、２３４  記憶された支払いパラメータ
２１５、２２５、２３５  代替的な患者データフロー経路
３  コアエンジン
３０  動作モジュール
３１、３２、３３  重大疾患トリガ
４  支払い受け取りモジュール
５  アセンブリモジュール
５０  合計リスク
５１１、５２１、５３１  第１のリスク寄与
５１２、５２２、５３２  第２のリスク寄与
５１３、５２３、５３３  第３のリスク寄与
５１ｉ、５２ｉ、５３ｉ  ｉ番目のリスク寄与
６  支払いデータストア
７  重体疾患パラメータを有するトリガテーブル
７１、７２、７３  重体疾患パラメータ
８  監視モジュール
１００１  重大疾患の診断フェーズ
１００２  処置フェーズ（手術、化学療法／放射線療法／薬剤）
１００３  回復フェーズ及び／又は末期疾患フェーズ及び／又はアフターケアフェーズ
１００４  追加的なサポートサービス
２００１、２００２、２００３  システム１からリスクエクスポージャユニット２１、２
２、２３へのパラメトリックな支払い移転
【図１】
2018198098.tif 000008
【図２】
2018198098.tif 000009
【図３】
2018198098.tif 000010
【図４】
2018198098.tif 000011
【図５】
2018198098.tif 000012
【図６】
2018198098.tif 000013
【図７】
2018198098.tif 000014
【図８】
2018198098.tif 000015
【外国語明細書】
2018198098000001.pdf